(57)【要約】【課題】容易に取り外すことができる差込み可能光ファイバ・モジュールを提供する。【解決手段】光ファイバ・モジュールを前記ケージ・アセンブリから係合解除し、引き出すためのプル・アクチュエータと、前記光ファイバ・モジュールに回転可能に結合され、前記プル・アクチュエータが引かれたとき、前記ケージ・アセンブリから前記光ファイバ・モジュールを解放するプル・アクチュエータと係合したピボットアーム・アクチュエータと、光信号を電気信号に変換し、または電気信号を光信号に変換するための１つまたは複数の電気光変換器とを備える光ファイバ・モジュール。【選択図】図２２Ｈ
2008102543.tif 000002
【特許請求の範囲】
【請求項１】
ケージ・アセンブリに取り付ける光ファイバ・モジュールであって、
前記光ファイバ・モジュールを前記ケージ・アセンブリから係合解除し、引き出すためのプル・アクチュエータと、
前記光ファイバ・モジュールに回転可能に結合され、前記プル・アクチュエータが引かれたとき、前記ケージ・アセンブリから前記光ファイバ・モジュールを解放するためのプル・アクチュエータと係合したピボットアーム・アクチュエータと、
光信号を電気信号に変換し、または電気信号を光信号に変換するための１つまたは複数の電気光変換器とを備える光ファイバ・モジュール。
【請求項２】
前記プル・アクチュエータが、前記光ファイバ・モジュールをスライド式に係合するための１つまたは複数の溝をさらに備える請求項１に記載の光ファイバ・モジュール。
【請求項３】
前記プル・アクチュエータが、前記プル・アクチュエータが引かれると前記光ファイバ・モジュールを引き出すために前記光ファイバ・モジュールを係合し、前記プル・アクチュエータが引かれると前記光ファイバ・モジュールから係合解除するのを防止する１つまたは複数のエンドストップをさらに備える請求項１に記載の光ファイバ・モジュール。
【請求項４】
前記ピボットアーム・アクチュエータが、前記ケージ・アセンブリを係合する第１の係合端部、前記プル・アクチュエータを係合する第２係合端部、およびその間のピボットピンを備える請求項１に記載の光ファイバ・モジュール。
【請求項５】
前記第１の係合端部が、前記ケージ・アセンブリを係合させるラッチを備える請求項４に記載の光ファイバ・モジュール。
【請求項６】
前記第２係合端部が、前記プル・アクチュエータを係合するキーパーを備える請求項４に記載の光ファイバ・モジュール。
【請求項７】
前記第２係合端部が、前記プル・アクチュエータが引かれたとき、前記ピボットアーム・アクチュエータを回転させるための前記ピボットアーム・アクチュエータ上のラッチ面に係合するランプ面を備える請求項４に記載の光ファイバ・モジュール。
【請求項８】
前記ピボットアーム・アクチュエータをラッチ位置に戻すために前記プル・アクチュエータへの引く力が除去されたとき、前記ピボットアーム・アクチュエータに力を働かせるためのばねをさらに備える請求項１に記載の光ファイバ・モジュール。
【請求項９】
前記１つまたは複数の電気光変換器を支持するための印刷回路板と、
前記印刷回路板を覆うためのハウジングと、
１つまたは複数の光ファイバ・ケーブル・プラグを受け、前記１つまたは複数の光ファイバ・ケーブル・プラグを前記１つまたは複数の電気光交換器と光学的に連結する光ファイバ・ケーブル・リセプタクルを含むノーズ・リセプタクルとをさらに備える請求項１に記載の光ファイバ・モジュール。
【請求項１０】
前記光ファイバ・モジュールに移動可能に連結され、プッシュ・アクチュエータが押されたのに応答して前記光ファイバ・モジュールをケージ・アセンブリから解放するために前記光ファイバ・モジュールに対して摺動可能であるプッシュ・アクチュエータと、
光信号を電気信号に変換し、または電気信号を光信号に変換するために、前記光ファイバ・モジュール内の１つまたは複数の電気光変換器とを備える光ファイバ・モジュール。
【請求項１１】
前記プッシュ・アクチュエータが、前記プッシュ・アクチュエータを前記光ファイバ・モジュールにスライド式に係合するための１つまたは複数の溝を備える請求項１０に記載の光ファイバ・モジュール。
【請求項１２】
前記ケージ・アセンブリ上のラッチに係合する前記光ファイバ・モジュール上のキーパーをさらに備え、前記プッシュ・アクチュエータが、前記ラッチと前記キーパーの間をスライドし、前記プッシュ・アクチュエータが押されたのに応答して前記光ファイバ・モジュールを前記ケージ・アセンブリから解放するために前記ラッチを前記キーパーから係合解除する、前記プッシュ・アクチュエータの外側端部上に１つまたは複数のランプを備える請求項１０に記載の光ファイバ・モジュール。
【請求項１３】
１つまたは複数のランプを備える第１の端部、および前記第１の端部の反対側の第２端部を有する第２アクチュエータをさらに備え、前記プッシュ・アクチュエータが前記第２端部に結合し、前記第２アクチュエータをスライドして前記光ファイバ・モジュールを前記ケージ・アセンブリから解放する請求項１０に記載の光ファイバ・モジュール。
【請求項１４】
引くことによって前記光ファイバ・モジュールを前記ケージから引き出すために前記光ファイバ・モジュールに連結されたプルタブをさらに備える請求項１０に記載の光ファイバ・モジュール。
【請求項１５】
１つまたは複数のランプおよび開口を備える端部を有する第２アクチュエータをさらに備え、前記プッシュ・アクチュエータのフックが前記開口と合致して前記プッシュ・アクチュエータと前記第２アクチュエータを共に結合させ、前記プッシュ・アクチュエータと前記第２アクチュエータが共に移動して、前記光ファイバ・モジュールを前記ケージ・アセンブリから解放する請求項１０に記載の光ファイバ・モジュール。
【発明の詳細な説明】
【関連出願】
【０００１】
本非仮出願米国（Ｕ．Ｓ．）特許出願は、「ＤＥ−ＬＡＴＣＨＩＮＧ  ＭＥＣＨＡＮＩＳＭＳ  ＦＯＲ  ＦＩＢＥＲ  ＯＰＴＩＣ  ＭＯＤＵＬＥＳ」という名称の、発明者Ｌｉｅｗ  Ｃｈｕａｎｇ  Ｃｈｉｕらによって２００１年８月１６日に出願された米国仮出願第６０／３１３，２３２号の利益を主張し、また、「ＭＥＴＨＯＤ  ＡＮＤ  ＡＰＰＡＲＡＴＵＳ  ＦＯＲ  ＰＵＳＨ  ＢＵＴＴＯＮ  ＲＥＬＥＡＳＥ  ＦＩＢＥＲ  ＯＰＴＩＣ  ＭＯＤＵＬＥＳ」という名称の、発明者Ｌｉｅｗ  Ｃｈｕａｎｇ  Ｃｈｉｕらによって２００１年６月２８日に出願された米国特許出願第０９／８９６，６９５号の利益を主張し、かつその一部継続出願（ＣＩＰ）であり、また、「ＭＥＴＨＯＤ  ＡＮＤ  ＡＰＰＡＲＡＴＵＳ  ＦＯＲ  ＰＵＳＨ  ＢＵＴＴＯＮ  ＲＥＬＥＡＳＥ  ＦＩＢＥＲ  ＯＰＴＩＣ  ＭＯＤＵＬＥＳ」という名称の、発明者Ｌｉｅｗ  Ｃｈｕａｎｇ  Ｃｈｉｕらによって２００１年４月１４日に出願された米国仮出願第６０／２８３，８４３号の利益を主張し、また、「ＰＵＬＬ−ＡＣＴＩＯＮ  ＤＥ−ＬＡＴＣＨＩＮＧ  ＭＥＣＨＡＮＩＳＭＳ  ＦＯＲ  ＦＩＢＥＲ  ＯＰＴＩＣ  ＭＯＤＵＬＥＳ」という名称の、Ｌｉｅｗ  Ｃ．Ｃｈｉｕらによって２００１年８月２３日に出願された米国特許出願第０９／９３９，４１３号と、Ｃｈｅｎｇ  Ｐｉｎｇ  Ｗｅｉらによって２０００年９月７日に出願された米国特許出願第０９／６５６，７７９号と、Ｗｅｎｂｉｎ  Ｊｉａｎｇらによって１９９９年５月２７日に出願された米国特許出願第０９／３２１，３０８号と、Ｗｅｎｂｉｎ  Ｊｉａｎｇらによって１９９９年５月２６日に出願された米国特許出願第０９／３２０，４０９号とに関し、これらはすべてＥ２Ｏ  Ｃｏｍｍｕｎｉｃａｔｉｏｎｓ，Ｉｎｃに譲渡されている。
【技術分野】
【０００２】
本発明は、一般に、光ファイバ・モジュールに関する。より具体的には、本発明は、光ファイバ・モジュールを差込みを外すための解放機構に関する。
【背景技術】
【０００３】
光ファイバ・モジュールは、光ファイバで光信号を伝送するために電気データ信号を変換する。光ファイバ・モジュールは、光ファイバで受信した光信号を電気データ信号に変換することもできる。
【０００４】
光ファイバ・モジュールのサイズまたはフォーム・ファクタ（form factor）が重要である。光ファイバ・モジュールのフォーム・ファクタが小さくなると、光ファイバ・モジュールを取り付ける印刷回路板上のスペースを狭くすることができる。フォーム・ファクタが小さければ、追加の通信チャネルをサポートするために、より多くの光ファイバ・モジュールを印刷回路板上に取り付けることができる。しかしフォーム・ファクタが小さいと、ユーザによる取扱いがより困難になる。
【０００５】
システムに埋め込まれた光ファイバ・モジュールが故障し、他の動作している光ファイバ・モジュールによって他の通信チャネルがサポートされているときは、故障した光ファイバ・モジュールを交換することが好ましい。故障した光ファイバ・モジュールを交換するために、光ファイバ・モジュールは、モジュール・リセプタクルに差し込むことができるようになっている必要がある。新しい光ファイバ・モジュールを差し込むことは、通常容易であるが、故障した光ファイバ・モジュールを取り外すことは、他の構成要素がそれを囲んでいるので、より困難である。さらに、ユーザは、故障した光ファイバ・モジュールを試したり、取り外すために、光ファイバ・ケーブルを引かないようにすべきである。そうでない場合、ユーザは、光ファイバ・ケーブルを損傷することがある。
【０００６】
差込み可能光ファイバ・モジュールの通常の解放（取り外し）方法は、光ファイバ・モジュール自体を押し込み、次いで、光ファイバ・モジュールを引き出して、それをケージ・アセンブリすなわちモジュール・リセプタクルから解放するというものであった。この方法は、この方式で差込み可能光ファイバ・モジュールを取り外すことが困難であるという不満を訴えるユーザには、あまり確実性のないことが確定している。
【０００７】
ユーザは、しばしば、従来の方法は、モジュール・リセプタクルからモジュールを引き出そうとするとき、モジュールへの十分なグリップを獲得する際に、てこの作用がほとんど用いられないという不満を訴える。他の不満は、光ファイバ・モジュールを取り外すために使用する従来のアクチュエータは、手を届かせにくいまたは目につかないということである。他のユーザは、従来の方法によって取り外した後、光ファイバ・モジュールをケージまたはモジュール・リセプタクルから引き出すのが困難であるという不満を訴える。
【０００８】
さらに、押して次いで引く従来の方法により、余分なひずみが光ファイバ・モジュール自体の構成要素、ケージ・アセンブリすなわちモジュール・リセプタクル、さらには光ファイバ・モジュールが電気コネクタとの間で形成するあらゆる電気接続部に加えられる。光ファイバ・モジュールをケージすなわちリセプタクルから解放するために、光ファイバ・モジュールに対して押して引くサイクルが２つ以上必要であることが多い。
【発明の開示】
【発明が解決しようとする課題】
【０００９】
差込み可能光ファイバ・モジュールを容易に取り外すことができることが望ましい。
【課題を解決するための手段】
【００１０】
本発明の以下の詳細な記述では、本発明の完全な理解を提供するために、多くの特有の詳細について述べる。しかし、当業者なら、本発明は、これらの特有の詳細を必要とせずに実施することが可能であることを理解するであろう。他の事例については、周知の方法、手順、構成要素、および回路は、本発明の態様を不必要に曖昧にしないように、詳細には記述していない。
【００１１】
以下の記述では、ある専門用語を使用して、本発明の様々な特徴を記述する。たとえば、「光ファイバ・トランシーバ」は、光信号の送信および受信の能力を有する光ファイバ・モジュールである。用語「係合解除」、「解放」、「アンラッチ」、および「ラッチを外し」は、いずれも光ファイバ・モジュールをケージ・アセンブリから取り外すことを指し、交換して使用することが可能である。
【００１２】
本発明は、小型の差込み可能（ＳＦＰ）ＧＢＩＣ、ＬＣタイプ・パッケージにおけるプル操作で開放可能な光ファイバ・モジュールを含む光ファイバ・モジュールに関する方法、装置、およびシステムを含む。
【発明を実施するための最良の形態】
【００１３】
ここで図１を参照すると、ここに本発明実施形態の光学要素１０３の分解図が示されている。光学要素１０３は、ノーズ１５１と、一対のファイバ・フェルール・スリーブ１３１と、電磁干渉（ＥＭＩ）遮蔽プレート１５３と、光ブロック１２０と、受信器１１１と、送信器１１０とを含む。電磁干渉遮蔽プレート１５３は、電磁干渉が光ブロック１２０およびモジュールの内外へもれないように遮蔽する。光ブロック１２０は、光送信器１１０と光受信器１１１を光ブロック１２０の２つのレンズと位置合わせする。光送信器１１０または光受信器１１１は、様々な波長の光またはフォトンを使用して光ファイバと通信する光学電子デバイスである。光学電子デバイスは、光またはフォトンを電気信号に変換または転換し、あるいは電気信号を光またはフォトンに変換または転換することができるデバイス、すなわち電気光変換器である。送信器の場合、光送信器１１０は、電気信号を光またはフォトンに変換することができるパックされたエミッタである。エミッタの例は、ＴＯ（トランジスタ・アウトライン）かんにパックされた半導体レーザ（すなわちＶＣＳＥＬ）またはＬＥＤである。受信器の場合、光受信器１１１は、パックされた光検出器であり、これは、光またはフォトンを検出または受信して、それを電気信号に変換する。光検出器の例は、ＴＯかんにパックされた光ダイオードである。しかし、光またはフォトンを受信および送信するために、他のパッケージ、ハウジング、または光学電子デバイスを光送信器１１０または光受信器１１１の代わりに使用することが可能である。
【００１４】
電磁干渉プレート１５３は１つまたは複数の突出部１５６を有し、この突出部は、光学ブロック１２０の１つまたは複数の外部ノッチ１５７とその縁付近において係合する。電磁干渉プレート１５３の光ポート１５９は、ノーズ１５１の光ポート１２９、１３０の対に位置合わせされる。電磁干渉プレート１５３は、突出部１５６を介して外部ハウジング４００（図５に示す）に電気的に結合され、外部ハウジング４００への電磁場をシャントさせる。ファイバ・フェルール１３１は、組立て時に、光ポート１２９、１３０に挿入することができる。ノーズ１５１は１つまたは複数のポスト１６４をさらに有し、ポストを電磁干渉プレート１５３の１つまたは複数の穴１５８にスライドさせて、ノーズ１５１、ファイバ・フェルール１３１の対、電磁干渉プレート１５３、及び光ブロック１２０を共に位置合わせさせる。
【００１５】
ノーズ１５１は、一対の光ファイバ・ケーブル（図示せず）を光ファイバ・モジュール１００に機械的に結合させ、かつ位置合わせするための一対のＬＣリセプクタクル１６１を有する。各ＬＣリセプタクル１６１は、１つのシリアル光ファイバ・チャネルの光ファイバ・リセプクタクルである。ノーズ１５１の複数ＬＣリセプクタクル１６１は、互いに間隔をあけずに配置することが好ましい。近傍チャネルは、複数チャネルを有する光ファイバ・モジュール１００は、ＦＤＡとＩＥＣクラス−１の眼球安全限界に準拠するだけ十分に離れている。これにより、眼球保護の使用を回避することによって、光ファイバ・モジュール１００の取扱いが容易になる。
【００１６】
ＬＣリセプタクルのサイズのために、ＴＯかんサイズのパッケージが使用可能であり、これにより、個々の光ファイバ・チャネルそれぞれの出力パワー・レベルを別々に監視することが可能になる。光ファイバ・チャネルの監視は、光検出器または光ダイオードが光ビームの一部を受信するように、光ビームを分割することを含む。次いで、光ダイオードの電気出力を測定して、光ファイバ・チャネルの出力パワー・レベルを示す。本発明の個々の光ファイバ・リセプタクルの間隔が広いことにより、光ビーム分割器を光送信器１１０のＴＯかんの内部に配置することが容易になる。光ビーム分割器は、光ビームの一部がＴＯかん内の光ダイオードに到達するように、ビームを分割する。光ダイオードの出力を測定して、送信器の出力パワーを監視する。このように、各チャネルが、パワー出力について別々に監視されるので、各チャネルを個々に最適化することができる。当業者なら、ＳＣ、ＭＴ−ＲＪ、ＶＦ４５、およびＭＵコネクタなどであるが、これに限定されない、他の光ファイバ・コネクタをＬＣリセプタクル１６１の代わりに使用することが可能であることをも理解するであろう。
【００１７】
ここで図２を参照すると、本発明の実施形態の光学要素１０３と、受信器印刷回路板２５０と、送信器印刷回路板２００との部分組立て図が示されている。受信器印刷回路板２５０は、１つまたは複数の受信器電気構成要素２２７（受信器集積回路（トランスインピーダンス増幅器およびポスト増幅器）、抵抗、キャパシタ、および他の受動または能動電気構成要素）と、雄型電気コネクタ２３５と、受信器接地面２１３（図示せず）とを含む。送信器印刷回路板２００は、１つまたは複数の送信器電気構成要素２２９（送信器集積回路（レーザ・ドライバ）、抵抗、キャパシタ、および他の受動または能動電気構成要素）と、送信器接地面２１５（図示せず）とを含む。受信器印刷回路板２５０および送信器印刷回路板２００は、流動はんだ付けによって組み立てることが可能である。
【００１８】
雄型電気コネクタ２３５の少なくとも１つのピンは、外部雌型電気コネクタに結合される。外部雌型電気コネクタは、ＳＦＰ（小型の差込み可能）ＳＭＴ（表面取付け技術）コネクタとすることが可能である。雄型電気コネクタ２３５の１つまたは複数のピンにより、電気信号、パワー、および地面を光ファイバ・モジュール１００の中へまたはその外へ結合することが可能になる。
【００１９】
図３を参照すると、ここに、光学要素１０３と、受信器印刷回路板２５０と、送信器印刷回路板２００と、底部フレーム３０１と、上部フレーム３０３との分解図が示されている。送信器電気構成要素２２９に結合される雄型電気コネクタ２３５の１つまたは複数の送信器ピン２４３と、送信器電気構成要素２２９と、光送信器１１０と、相互接続リード２２５と、光ブロックのレンズ（図示せず）とは、１つの送信チャネルを形成する。送信器電気構成要素２２９は、光送信器１１０を制御して、光ファイバで送信するために、システムから受信したデータ信号をバッファリングする。受信器電気構成要素２２７に結合される雄型電気コネクタ２３５の１つまたは複数の受信器ピン２４５と、受信器電気構成要素２２７と、光受信器１１１と、光ブロックのレンズ（図示せず）とは、１つの受信チャネルを形成する。受信器電気構成要素２２７は、光受信器１１１を制御して、光ファイバから受信したデータ信号をバッファリングする。構成要素の他の組合せは、通信チャネルの他の組合せを形成することができる。
【００２０】
光学要素１０３は、複数のまたぎ取付け信号リード２０１を有する光受信器１１１を含む。またぎ取付け信号リード２０１は、印刷回路板をまたぐように、２つの水平行に構成される。またぎ取付け信号リード２０１の２つの行は、受信器印刷回路板２５０をはさみ、それにより、またぎ取付け信号リード２０１は、受信器印刷回路板２５０両側面の上にある複数の受信器コンタクト２０３に光受信器１１１を電気的に結合させる。またぎ取付け信号リード２０１と受信器コンタクト２０３との間の結合を改善するために、またぎ取付け信号リード２０１および受信器コンタクト２０３にはんだを加えてもよい。受信器コンタクト２０３は、銅、銀、金、または他の金属あるいは合金などの金属であることが好ましい。受信器コンタクト２０３は、受信器印刷回路板２５０の上面および底面の一方または両方の上にあってもよい。
【００２１】
光学要素１０３は、複数の整形（すなわち曲げ）信号リード２０５を備える光送信器１１０を有する。各形成信号リード２０５は、印刷回路板においてヘッダ信号バイア２０７に結合されるように曲げられ、上に向けられている。印刷回路板２５０は、カットアウト２０９を有し、これにより、形成信号リード２０５の水平部分のスペースを確保できる。カットアウト２０９は、受信器印刷回路板２５０のコーナをある角度で切り落とした形状である。代替として、カットアウト２０９は、正方形、半円、四分円、または他の形状とすることが可能である。各形成信号リード２０５の垂直部分は、光送信器１１０を送信器印刷回路板２００に結合するように十分長い。
【００２２】
整形信号リード２０５の端部は、複数のバイア２０７、スルー・ホール、コンタクト、または送信器印刷回路板２００上の他の結合デバイスに結合される。整形信号リード２０５とバイア２０７との間の結合を改善するために、整形信号リード２０５とバイア２０７とにはんだを加えることが可能である。印刷回路板アセンブリと光学要素は、印刷回路板が流動はんだ付けされた後、機械的に結合されるので、光学要素は、流動はんだ付けによって生成される熱の影響を受けない。９０度の角度が示されているが、整形信号リード２０５の他の構成を使用して、光送信器１１０を送信器印刷回路板２００に結合させることが可能であることを理解されたい。
【００２３】
光ファイバ・モジュールの中へ組み立てられたとき、受信器印刷回路板２５０と送信器印刷回路板２００は、垂直に積み重なり、互いにほぼ平行である。上部フレーム３０３と底部フレーム３０１は、受信器印刷回路板２５０と送信器印刷回路板２００を固定された垂直および水平に位置を合わせて保持する。
【００２４】
光ファイバ・モジュールは、１つまたは複数の相互接続リード２２５をさらに含む。このリードは、受信器印刷回路板２５０の信号トレースによって、送信器印刷回路板２００上の送信器電気構成要素２２９を電気コネクタの送信器ピン２４３に電気的に結合する。
【００２５】
受信器印刷回路板２５０は受信器接地面２１３（図２に示す）を含み、送信器印刷回路板２００は送信器接地面２１５（図２に示す）を含む。受信器接地面２１３は、放射している電磁場を雄型電気コネクタ２３５のピンを介して接地にシャントさせる。送信器接地面２１５は、相互接続リード２２５の１つまたは複数と、受信器印刷回路板２５０上の送信器トレース２４７と、雄型電気コネクタ２３５のピン２４３とを通って放射している電磁場を接地にシャントする。
【００２６】
受信器印刷回路板２５０は、一対のスロット２３１（受信器スロット２３１と呼ばれる）を含む。図２に示すように、一方が印刷回路板の左側縁にあり、他方が右側縁にある。送信器印刷回路板２００は、一対のスロット２３３（送信器スロット２３３と呼ばれる）を含み、図２に示すように、一方が印刷回路板の左側縁にあり、他方が右側縁にある。受信器スロット２３１と送信器スロット２３３により、受信器印刷回路板２５０と送信器印刷回路板２００との間の位置合わせが容易になる。
【００２７】
底部フレーム３０１は、図３に示すように、一対の側面３４１Ａ、３４１Ｂと、ベース３４３と、一対のレール３０５Ａ、３０５Ｂと、側面３４１Ａ、３４１Ｂのそれぞれの一対のコーナから延びる複数の下方支持タブ３３５と、複数の上方支持タブ３３７とを含む。底部フレーム３０１のベース３４３はＬ型であり、それにより、レール３０５Ｂが底部フレーム３０１の側面とベースに沿って延び、一方、レール３０５Ａは中心線から延び（底部フレームの中心付近において）、ベースの表面はその間にある。Ｌ型は、底部フレームのベースからのカットアウト領域を残すが、これは、以下で記述するように、底部カバーによって埋められる。底部フレーム３０１の中心線または中間から延びるレール３０５Ａは外向きに延び、かつ、光ブロック１２０の開口１５５に挿入される先端３５５Ａを含む。
【００２８】
上部フレーム３０３は、図３に図示し、かつ示すように、上部３４７と、一対の上部フレーム側面３４９Ａ、３４９Ｂと、一対の位置合わせレール３０７と、フランジ３２１とを含む。
【００２９】
組み立てたとき、受信器印刷回路板２５０は、上方支持タブと下方支持タブの間にある一対のスロット３０９に挿入され、底部フレーム３０１の下方支持タブ３３５の上に収まる。受信器印刷回路板２５０の縁にある一対の受信器スロット２３１が、受信器印刷回路板の側面３４１Ａ、３４１Ｂのコーナ付近に配置される。４つの下方支持タブ３３５と４つの上方支持タブ３３７は、受信器印刷回路板２５０が係合されたとき、それの垂直動きを制限する。底部フレーム３０１の１つまたは複数の要素は、金属などの導電材料で形成することができ、または導電性めっきあるいは表面を含むように形成することが可能である。底部フレーム３０１の導電材料は、シャーシ接地への電気結合を介して電磁場を接地にシャントする。このようにして、底部フレーム３０１は、光ファイバ・モジュールの電磁干渉を遮蔽することができる。
【００３０】
組み立てたとき、送信器印刷回路板２００は、底部フレーム３０１の４つの上方支持タブ３３７の上に納まり、それにより、送信器印刷回路板２００の送信器スロット２３３の対は、上方支持タブ３３７に隣接し、かつその上の位置で、受信器印刷回路板２５０の受信器スロット２３１の対のすぐ上に位置合わせされる。それぞれの印刷回路板の各々におけるスロット２３３とスロット２３１の位置合わせにより、送信器相互接続バイア２３９が、受信器相互接続バイア２４１と位置合わせされ、それにより、１つまたは複数の相互接続リード２２５をその間に結合させることを保証している。１つまたは複数の相互接続リード２２５は、送信器印刷回路板２００と受信器印刷回路板２５０のそれぞれの送信器トレース２４７を１つに結合する。相互接続リード２２５は、一端上の受信器相互接続バイア２４１において受信器印刷回路板２５０にはんだ付けされ、対向端上の送信器相互接続バイア２３９において送信器印刷回路板２００にはんだ付けされる。相互接続リード２２５は、受信器印刷回路板２５０と送信器印刷回路板２００との間の電気結合を提供するように記述したが、リボン・ケーブル、ワイヤ、雄型および雌型電気コネクタなどを含めて、他の相互接続デバイスを使用することが可能であることを理解されたい。
【００３１】
上部フレーム３０３の上部フレーム側面３４９Ａ、３４９Ｂの対は、１つに組み立てられたとき、それぞれ、底部フレーム３０１の底部フレーム側面３４１Ａ、３４１Ｂと係合する。組み立てられたとき、上部フレーム側面３４９の外面は、底部フレーム側面３４１の内面と隣接する。上部フレーム側面のそれぞれは、一対のロッキング・タブ３１３を有し、このタブは、底部フレーム側面３４１のそれぞれにおいて、一対のロック・タブ開口３１５と係合して、それらを１つに保持する。ロッキング・タブ３１３とロッキング・タブ開口３１５により、底部フレーム３０１と上部フレーム３０３が互いに関して垂直に移動するのが防止される。上部フレーム側面３４９Ａ、３４９Ｂの各垂直縁は、上方タブ３３７と下方タブ３３５と一致して、上部フレーム３０３が底部フレーム３０１に対して横方向に移動するのを防止する。上部フレーム３０３は、上部フレーム側面３４９Ａ、３４９Ｂの縁の上に、位置合わせレール３０７の対を有する。位置合わせレール３０７は、送信器印刷回路板２００の送信器スロット２３３の対と受信器印刷回路板２５０の受信器スロット２３１の対と合致して、それらを位置合わせして維持し、それにより、相互接続リード２２５は、いずれにしても動きによってせん断されず、電気結合は維持される。上部フレーム３０３は、上部３４７の下面に、タブ３６３、リブ、ポスト、または他の部材を有する。上部フレーム３０３が、底部フレーム３０１と送信器回路板２００に組み立てられたとき、タブ３６３により、送信器印刷回路板２００の上方動きが防止される。代替として、位置合わせレール３０７の対は、一対の下方支持タブ３３５と一対の上方支持タブ３３７と隣接し、光ファイバ・モジュールがコネクタから引き出されるとき、応力が受信器印刷回路板２５０にかけられる際に、位置合わせを維持し、かつ動きを回避する。上部フレーム３０３は、図３に図示し、かつ示すように、上部フレーム３０３の上部３４７から延びるフランジ３２１を含む。フランジ３２１は、光学要素１０３の光ブロック１２０の上部ポスト３１９の上をスライドする開口３１７を含む。フランジ３２１の開口３１７が上部ポスト３１９と合致するとき、上部フレーム３０３は光学要素１０３に緊密に結合され、光ファイバ・モジュールがコネクタに挿入されるとき、またはコネクタから取り外されるとき、分離を回避する。上部フレームが緊密に結合されるように、開口３１７が上部ポスト３１９と係合しているので、受信器スロット２３１と送信器スロット２３３に関連する上部フレーム３０３の位置合わせレール３０７は、受信器印刷回路板２５０と送信器印刷回路板２００を光学要素１０３に緊密に結合して維持し、分離を回避する。フランジ３２１は、フランジ・リップ３２５を含み、これは、光ブロック１２０の陥凹壁３２７と隣接して、光学要素１０３に対する上部フレーム３０３の横方向動きを防止する。
【００３２】
上部フレーム３０３は、一対の上部フレーム側面３４９Ａ、３４９Ｂと上部３４７とを含む。上部フレームのこれらと他の要素は、金属などの導電材料で形成することが可能であり、または導電性めっきあるいは表面を含むように形成することが可能である。上部フレーム３０３の導電材料は、シャーシ接地への電気結合を介して電磁場を接地へシャントさせる。このようにして、上部フレーム３０３は、電磁干渉遮蔽を光ファイバ・モジュールに与える。
【００３３】
受信器印刷回路板２５０と、送信器印刷回路板２００と、相互接続リード２２５と、底部フレーム３０１と、上部フレーム３０３とを含む組み立てたサブアセンブリは、これ以後、印刷回路板アセンブリ４１１と呼ぶことができる。
【００３４】
ここで図４Ａを参照すると、外部ハウジング４００と印刷回路板アセンブリ４１１の分解図が示されている。外部ハウジング４００は、上部カバー４０１と、底部カバー４０２と、Ｌ型底部フレーム３０１とを含む。上部カバー４０１と、底部カバー４０２と、底部フレーム３０１とは、１つに、かつ光ブロック１２０の周囲に結合され、受信器と送信器の印刷回路板を含むが、受信器印刷回路板の延長部が雄型コネクタ２３５を形成する一端が除かれる。上部カバー４０１は、上部部分および印刷回路板アセンブリ４１１と光学要素１０３の上にはめ込まれる一対の側面とを含む。上部カバー４０１は、光ブロック１２０側面と、光学要素１０３のノーズと、底部フレーム３０１とにおいて、配置タブ４０７と係合するために、複数の配置タブ開口４０５を側面のそれぞれに含む。配置タブ開口４０５が配置タブ４０７と係合しているとき、光学要素１０３に対する上部カバー４０１の動きが阻止される。上部カバー４０１はフード４０９を含み、このフードは送信器印刷回路板２００の端部を包含するが、受信器印刷回路板２５０のコネクタ２３５はコネクタに接続されるように露出されたままにする。雄型電気コネクタ２３５は、上部カバー４０１から延びて、外部雌型電気コネクタに機械的と電気的に結合される。
【００３５】
底部カバー４０２は、Ｌ型底部フレーム３０１の切断領域を埋めるのに十分なサイズである。底部カバー４０２は、一側面上で底部フレーム３０１に結合され、対向側面上で上部カバー４０１に結合される。
【００３６】
ここで図４Ｂと４Ｃを参照すると、ホット差込み可能性を提供する雄型電気コネクタ２３５のピンが詳細に示されている。雄型電気コネクタ２３５は、受信器印刷回路板２５０の上部および／または底部表面上にある、１つまたは複数の接地あるいは負のパワー・ピン４６０と、１つまたは複数の正のパワー・ピン４６１と、１つまたは複数の信号ピン４６２とを含む。ピン４６０、４６１、４６２は、受信器印刷回路板２５０の縁４６５に関して互いに食い違いになっており、ホット差込み可能性を容易にする。光ファイバ・モジュールが挿入されたときにまず接地が確立され、かつ光ファイバ・モジュールが取り外されたときに最後に接地が除去されるように、雄型電気コネクタ２３５の接地ピン４６０は、雄型電気コネクタ２３５のあらゆる他のピンより縁４６５の近接している。光ファイバ・モジュールが挿入されたときに、パワーが２番目に確立され、かつ光ファイバ・モジュールが取り外されたとき、パワーが最後から２番目に除去されるように、正のパワー・ピン４６１は縁４６５に２番目に近接している。信号ピン４６２は、パワー・ピン４６１と接地ピン４６２より縁から離れており、それにより、光ファイバ・モジュールが挿入されたとき、パワーと接地が確立された後に信号ピンが確立され、光ファイバ・モジュールが取り外されたとき、まず信号ピンが分離される。
【００３７】
雄型電気コネクタ２３５を外部雌型電気コネクタに連結させている間、接地ピンは、光ファイバ・モジュール１００を接地するために、外部雌型電気コネクタの接地リセプタクルにまず電気結合される。雄型電気コネクタ２３５と外部雌型電気コネクタの結合が外されている間、接地ピンは、パワーが光ファイバ・モジュール１００から外された後まで、光ファイバ・モジュール１００の接地を維持するように、接地から最後に電気的に結合が除去される。接地ピン４６０は、パワー・ピン４６１と信号ピン４６２より縁４６５に近接しており、光ファイバ・モジュールをシステムの内外に物理的に挿入し、かつ取り外す最中に、光ファイバ・モジュールとシステムに対する損傷と破損を防止する。損傷または破損を生じずに、動作中に光ファイバ・モジュールを物理的に除去と挿入する能力は、ホット差込み可能性と呼ばれる。
【００３８】
上部カバー４０１と底部カバー４０２と底部フレーム３０１とを含む外部ハウジング４００は金属などの導電材料で形成することが可能であり、または導電性めっきあるいは導電性表面とすることが可能である。外部ハウジング４００を導電材料で形成させると、外部ハウジング４００は、外部ハウジング４００の中に放射している電磁場をシャーシ接地への電気結合を介して接地へシャントさせることができる。このようにして、外部ハウジング４００も、電磁干渉遮蔽を光ファイバ・モジュールに与えることができる。
【００３９】
ここで図５を参照すると、前面からの光ファイバ・モジュール１００の分解図が示されている。外部ハウジング４００の底部カバー４０２は、一側面上の一対のタブ５０９と、対向側面上の１つの突出部５０５とを含む。一側面の突出部５０５は、底部フレーム３０１のレール３０５Ａの側面にある一対の穴５０７と係合する。底部カバー４０２の対向側面の突出部５０５は、上部カバー４０１の側面にあるハウジング穴５１１と係合する。上部カバー４０１の側面の内表面は、タブ５０９がハウジング穴５１１とかみ合っているとき、底部カバー４０２の側面の外面に結合される。
【００４０】
底部カバー４０２は、容易に分解して、光ファイバ・モジュール１００の上部カバー４０１と底部フレーム３０１と再組立てすることができる。底部カバー４０２を取り除くことによって、受信器印刷回路板の一部が露出させられ、受信器印刷回路板２５０上の調節可能電気構成要素（図示せず）を調節するために、それにアクセスすることができる。調節可能電気構成要素は、受信器印刷回路板２５０上の電気構成要素２２７に電気的に結合される。調節可能電気構成要素は、受信器印刷回路板２５０上の送信器トレース３６１と、相互接続バイア２２５と、送信器印刷回路板２００上の送信器トレース２４７との１つまたは複数を通る導電経路によって、電気構成要素２２９に結合される。調節可能電気構成要素は、ＤＩＰスイッチと、電位差計と、可変キャパシタと、光ファイバ・モジュール１００の性能を同調または調節するために使用することができる他のデバイスとを含むことが可能である。
【００４１】
底部カバー４０２も、金属などの導電材料で形成することができ、または、電磁干渉遮蔽を光ファイバ・モジュール１００に与えるために、シャーシ接地に結合された（穴５０７と、ハウジング穴５１１とタブ５０５と、突出部５０９を介して）導電性めっきあるいは表面を含むことができる。
【００４２】
図６Ａは、完全に組み立てた光ファイバ・モジュール１００の上面図を示す。図６Ｂは、完全に組み立てた光ファイバ・モジュール１００の底面図である。図６Ｃは、完全に組み立てた光ファイバ・モジュール１００の右側面図である。図６Ｄは、完全に組み立てた光ファイバ・モジュール１００の左側面図である。図６Ｅは、完全に組み立てた光ファイバ・モジュールの前面図である。図６Ｆは、完全に組み立てた光ファイバ・モジュールの背面図である。本発明の光ファイバ・モジュール１００を組み立てるために、受信器スロット２３１が、底部フレーム３０１の端部に隣接し、かつそのすぐ内側にあるようになるまで、受信器印刷回路板２５０は、まず、上方支持タブ３３７と下方支持タブ３３５との間の底部フレーム３０１のスロット３０９の中にスライドさせられる。受信器印刷回路板２５０が、底部フレーム３０１に適切に配置されたとき、受信器電気構成要素２２７は、下向きになり、接地面は上向きになり、雄型電気コネクタ２３５は、底部フレーム３０１の端部を超えて延びて、その外部に至る。次に、１つまたは複数の相互接続リード２２５を押し込んで、受信器相互接続バイア２４１の中にはめ込む。はんだが、受信器相互接続バイア２４１において、相互接続リード２２５に加えられる。
【００４３】
次いで、送信器印刷回路板２００の送信器相互接続バイア２３９を、１つまたは複数の相互接続リードと位置合わせして、押し込んで共にはめ込み、それにより、送信器印刷回路板が、上方支持タブ３３７の上に納まる。適切な配向では、接地面は、受信器印刷回路板に向かって下向きになり、一方、送信器電気構成要素２２９は、送信器印刷回路板２００の表面上で上向きになり、受信器印刷回路板２５０と対向する。これらを押し込んで共にはめ込んだ後、はんだが、送信器相互接続バイア２３９において相互接続リード２２５に加えられる。
【００４４】
次に、上部フレーム３０３が組立てプロセスに入る。上部フレーム３０３の位置合わせレール３０７は、送信器スロット２３３と受信器スロット２３１に位置合わせさせられる。側面３４９Ａ、３４９Ｂの外面が、それぞれ、側面３４１Ａ、３４１Ｂの内表面の中にスライドするように、位置合わせレール１０７が送信器スロット２３３に挿入される。上部フレーム３０３は底部フレームに結合され、それにより、ロッキング・タブ３１３がロック・タブ開口３１５と係合して、上部フレーム３０３を底部フレーム３０１に対して適所にロックするまで、位置合わせレール３０７が送信器スロット２３３と受信器スロット２３１を通ってスライドする。
【００４５】
印刷回路板アセンブリ４１１を形成するのと平行して光学要素１０３が準備される。ダイ（図示せず）を使用して、光送信器１１０の信号リードを９０度まで曲げて、本発明の整形信号リード２０５を形成させる。次いで、光学要素を組み立て、サブアセンブリ１０３として１つに位置合わせする。
【００４６】
次いで、印刷回路板サブアセンブリ４１１を光学要素サブアセンブリ１０３と１つに結合する。受信器印刷回路板２５０の受信器コンタクト２０３が、またぎ取付け信号リード２０１の水平行の間の間隔と位置合わせされるように、印刷回路板サブアセンブリ４１１が光学要素と共に配置される。上部フレーム３０３のフランジ３２１は、開口３１７がポスト３１９と合致することができるように、上方に曲げられる。印刷回路板サブアセンブリ４１１と光学要素１０３は、受信器コンタクト２０３をまたぎ取付け信号リード２０１に電気的に結合させることができるように、１つにされ、先端３５５Ａは、開口１５５の中にスライドさせられる。次いで、フランジ３２１を解放し、それにより、開口３１７は、上部ポスト３１９の上をスライドして、印刷回路板サブアセンブリ４１１を光学要素サブアセンブリ１０３に固定する。
【００４７】
次に、外部ハウジング４００が、印刷回路板サブアセンブリ４１１の周囲で完成させられる。上部カバー４０１は、配置タブ開口４０５が配置タブ４０７と合致するように、印刷回路板サブアセンブリ４１１と位置合わせさせられる。上部カバー４０１は、配置タブ４０７が、配置タブ開口４０５の中にスナップするように、光学要素サブアセンブリ１０３と印刷回路板サブアセンブリ４１１の上をスライドする。
【００４８】
次いで、底部カバー４０２を底部フレーム３０１と上部カバー４０１に結合させる。底部カバーは、突出部５０５が、底部フレーム３０１のレールの側面にある穴５０７と係合するように傾斜している。次いで、上部カバー４０２を上方に押し込み、それにより、タブ５０９がハウジング穴５１１と係合して、その結果、底部カバー４０２が、光ファイバ・モジュール１００のアセンブリを完成するように、適所に固定される。
【００４９】
送信信号については、光ファイバ・モジュール１００は、雄型電気コネクタ２３５の送信器ピン２４３に到達する外部電気送信器信号が、受信器印刷回路板２５０上で経路指定された送信器トレース２４７の中に結合されるように電気的に機能する。送信器トレース２４７は、送信器ピン２４３からの外部電気送信器信号を受信器相互接続バイア２４１に結合させる。受信器相互接続バイア２４１は、送信器信号を１つまたは複数の相互接続リード２２５に結合させる。１つまたは複数の相互接続リード２２５は、一端における受信器相互接続バイア２４１からの電気信号を、対向端における送信器相互接続バイア２３９に結合させる。送信器印刷回路板２００上の送信器トレース２４７は、送信器相互接続バイア２３９からの電気信号を送信器電気構成要素２２９および／または送信器１１０に結合させる。送信器電気構成要素２２９は電気信号を電気伝送パルスに処理して、光送信器１１０に送る。光送信器１１０は、光ファイバ・ケーブルで伝送するために、電気伝送パルスを光パルスに変換する。
【００５０】
受信信号については、受信器電気構成要素２２７に結合させるために、光ファイバ・モジュール１００は、ＬＣリセプタクル１６１に到達する外部光パルスが光受信器１１１によって電気パルスに変換されるように、電気的に機能する。受信器電気構成要素２２７は電気パルスを電気受信信号を処理する。この信号は、受信器印刷回路板２５０の受信器トレース２４９に結合される。受信器トレース２４９は、受信器信号を雄型電気コネクタ２３５の受信器ピン２４５に結合する。このコネクタによって、電気受信器信号は外部デバイスに結合される。本発明の一実施形態では、印刷回路板の１つの上の１つの電気構成要素は、光送信器１１０と光受信器１１１の両方を制御する。
【００５１】
動作の際に、光ファイバ・モジュール１００は、ＬＣ、ＧＢＩＣパッケージを収容するように設計されたラックまたはキャビネットに収容することが可能である。光ファイバ・モジュール１００が、ラックに挿入されたとき、雄型電気コネクタ２３５は、ラックまたはキャビネットの雌型電気コネクタに結合される。電気コネクタが結合される際に、雄型電気コネクタ２３５の１つまたは複数の接地ピンが、雌型電気コネクタの１つまたは複数の対応する接地リセプタクルと結合され、その後、あらゆる他のピンが電気的に結合される。雄型電気コネクタ２３５の１つまたは複数のパワー・ピンが、雌型電気コネクタの１つまたは複数の対応するパワー・リセプタクルに電気的に結合され、その後、あらゆる信号ピンが電気的に結合される。接地ピンとパワー・ピンが結合された後、１つまたは複数の信号ピンを１つまたは複数の対応する信号リセプタクルに電気的に結合することが可能である。光ファイバ・モジュールがラックに挿入される前または挿入された後、光ファイバ・ケーブル（図示せず）をＬＣリセプタクル１６１に結合する。
【００５２】
光ファイバ・モジュール１００をある理由で取り替えることが望ましいとき、本発明により、ホット差込み可能交換が可能になる。まず、ファイバ・コネクタを光ファイバ・モジュール１００から取り外す。次いで、モジュールを、それが結合されているあらゆる電気コネクタから分離する。分離する際に、信号ピンがまず分離され、パワー・ピンが続き、接地ピンは最後である。その後、新しい光ファイバ・モジュール１００を上記で議論したように行われる接続順序で挿入させることができる。
【００５３】
光ファイバ・モジュールを分離させた後、光学要素サブアセンブリ１０３または印刷回路板サブアセンブリ４１１を容易に交換することが可能である。光学要素１０３を交換するために、開口３１７と上部ポスト３１９とを離すように、フランジ３２１を上に曲げる。次いで、光学サブアセンブリ１０３を印刷回路板アセンブリ４１１から引き出す。光学サブアセンブリを印刷回路板アセンブリ４１１から引き出す際に、またぎ取付け信号リード２０１を受信器コンタクト２０３から分離させる。整形信号リード２０５も、ヘッダ信号バイア２０７から分離される。次いで、上記で議論したように、交換光学サブアセンブリを印刷回路板アセンブリ４１１に結合させる。その後、光ファイバ・モジュール１００（印刷回路板アセンブリ４１１に結合された交換光学要素１０３）を、上記で議論したように行われる接続順序で挿入させることができる。
【００５４】
印刷回路板アセンブリ４１１を交換するために、光ファイバ・モジュールを上記で議論したように取り外すが、光ファイバ・ケーブルをＬＣリセプタクル１６１から取り外す必要がない点が異なる。開口３１７を上部ポスト３１９から外すように、フランジ３２１を上に曲げる。次いで、光学要素１０３を印刷回路板アセンブリから引き出す。印刷回路板アセンブリ４１１を光学要素１０３から引き出す際に、またぎ取付け信号リード２０１を受信器コンタクト２０３から分離させる。整形信号リード２０５も、ヘッダ信号バイア２０７から分離される。次いで、交換印刷回路板アセンブリ４１１を、上記で議論したように光学要素１０３に結合させる。その後、光ファイバ・モジュール１００（交換印刷回路板アセンブリ４１１に結合された光学要素１０３）を、上記で議論したように行われる接続順序で挿入させることができる。
【００５５】
以上の詳細な記述は、１つの受信器と１つの送信器を含む光ファイバ・モジュール１００を記述している。しかし、当業者なら、光ファイバ・モジュール１００は、垂直に積み重ねられた受信器または送信器、または送信器と受信器の２つ以上の組合せを含むことが可能であることがわかるであろう。本発明の一実施形態は、４つの垂直積重ね送信器を含む。他の実施形態は、４つの垂直積重ね受信器を含む。他の実施形態は、４つの垂直積重ね送信器と受信器の組合せを含む。
【００５６】
さらに、当業者ならわかるように、受信器印刷回路板２５０と送信器印刷回路板２００の位置を反対にすることが可能である。本発明のその実施形態では、送信器印刷回路板２００は、光受信器１１１の整形信号リード２０５に対する距離２１１を創出するカットアウト２０９を有する。光受信器１１１の整形信号リード２０５は、受信器印刷回路板２５０上のヘッダ信号バイア２０７に結合される。光送信器１１０のまたぎ取付け信号リード２０１は、送信器印刷回路板２００上のコンタクトに結合される。この実施形態では、電気構成要素２２７と２２９は、印刷回路板２５０と２００の対向表面上にあり、それにより、接地面２１３と２１５は電気構成要素２２７と２２９に電磁遮蔽を与える。
【００５７】
本発明の他の実施形態では、送信器印刷回路板２００は、雄型電気コネクタ２３５を含む。送信器印刷回路板２００の受信器トレース２４９は、雄型電気コネクタ２３５の受信器ピン２４５を相互接続バイア２２５に結合する。相互接続バイア２２５は、送信器印刷回路板２００の受信器トレース２４９を受信器電気構成要素２２７に結合するために、受信器印刷回路板２５０の受信器トレース２４９に結合される。送信器印刷回路板２００も、外部ハウジング４００から突出し、かつ雄型電気構成要素２３５を含む部分を含み、それにより、雄型電気コネクタ２３５を外部雌型電気コネクタに結合させることが可能になる。
【００５８】
本発明の一態様は、押しボタン式解放機構と容易な引出し機構を、モジュール・リセプタクルすなわちケージ・アセンブリに結合された取外し可能または差込み可能光ファイバ・モジュールに提供する。さらに、ピギーバックまたはベリーツーベリー(belly-to-belly)光ファイバ・モジュール構成が提供される。迅速解放は、光ファイバ・モジュールをモジュール・リセプタクルまたケージ・アセンブリからラッチを外しまたは差込みを外すための機械デバイスである。本発明は、ＳＦＰ光ファイバ・モジュールをＳＦＰケージ・アセンブリすなわちモジュール・リセプタクルからラッチを外しまたは差込みを外すのに特に適している。本発明は、ケージすなわちリセプタクルから取外し可能または差込み可能な光ファイバ・モジュールのラッチを外すこと引き出すことのプロセスを改良するように設計された１組の機械デバイスを提供する。機械デバイスは、（１）キッカー・アクチュエータ、（２）引出しタブ、（３）ノーズ・グリップからなる３つの主要構成要素を含む。
【００５９】
差込み可能光ファイバ・モジュールをケージまたはモジュール・リセプタクルから取り外すために、差込み可能光ファイバ・モジュールは、ケージまたはモジュール・リセプタクルのあらゆるソケットまたはコネクタからラッチが外されまたは差込みが外される。
【００６０】
ここで図７Ａを参照すると、分解した差込み可能光ファイバ・モジュール７００が示されている。光ファイバ・モジュール７００は、電気コネクタを有し、かつそれに結合され、またはそれから外されるケージすなわちリセプタクルにスライドさせることができるという点で、差込み可能または取外し可能なタイプの光ファイバ・モジュールである。差込み可能光ファイバ・モジュール７００は、押しボタン式に解放可能であり、電気光学サブアセンブリ７０１と、機械サブアセンブリ７０２とを含む。機械的サブアセンブリ７０２は、電気光学サブアセンブリ７０１の光ブロック１２０に結合される。
【００６１】
一実施形態では、光ファイバ・モジュール７００は、ＳＦＰモジュールであり、それが差し込まれるケージ・アセンブリすなわちモジュール・リセプタクルは、ＳＦＰケージ・アセンブリまたはＳＦＰモジュール・リセプタクルである。そうでない場合、本発明を組み込んでいる光ファイバ・モジュールは、あらゆるタイプの差込み可能光ファイバ・モジュールとすることができる。
【００６２】
光ファイバ・モジュール７００の電気光学サブアセンブリ７０１の一部について、本明細書では、図１〜６Ｆを参照して以前に記述している。
【００６３】
機械的なサブアセンブリ７０２は、ノーズ・リセプタクル７０４と、キッカー・アクチュエータ７０５（押しボタンとも呼ばれる）と、アクチュエータ７０６と、光プル・グリップ７０９を有する引出しタブ７０８とを含む。キッカー・アクチュエータ７０５は、アクチュエータ７０６への延長アームとして役立つ。一実施形態では、アクチュエータ７０６は、ＳＦＰアクチュエータである。
【００６４】
ノーズ・リセプタクルは、光ファイバを取り付けることが可能な１つまたは複数の光ファイバ・コネクタを受ける。ノーズ・リセプタクル７０４は、光ファイバ・ケーブルの端部をその内部の光開口と位置合わせする。一実施形態では、ノーズ・リセプタクル７０４は、複式ＳＦＰ光ファイバ・コネクタを受けるためのＳＦＰリセプタクルである。
【００６５】
ここで図７Ｂを参照すると、分解した光ファイバ・モジュール７００の底面からの図が示されている。ノーズ・リセプタクル７０４の底部側面は、ボス１００２と、その対向側面上にある一対のタング７４１を有する開口７４５と、リブすなわち隔壁７４７を含む。キャッチすなわちボス１００２は、ケージすなわちリセプタクルのラッチにインタフェースする。ノーズ・リセプタクル７０４の開口７４５は、ボス１００２をラッチから解放し、かつ光ファイバ・モジュールをケージすなわちリセプタクルから自由にするために、アクチュエータ７０６とスライド式に係合する。アクチュエータは、組み立てられたとき、リブすなわち隔壁７４７をスライドする。リブすなわち隔壁７４７は、スライド可能な支持をアクチュエータ７０６に提供することができ、その支持をラッチの上に押し出すことが可能になり、一方、タングは、キッカー・アクチュエータ７０５とアクチュエータ７０６の動き対して、スライド可能な誘導を提供することができる。
【００６６】
図７Ｃと７Ｄは、異なる角度から示した、分解した光ファイバ・モジュール７００の追加の上面図と底面図を提供する。図７Ｄからわかるように、アクチュエータ７０６は、１つまたは複数のランプまたはウエッジ（その一対を示す）１３０８と、一端の開口と対向端が閉じているスロットまたは溝７２１を含む。スロットまたは溝７２１は、ノーズ・リセプタクル７０４のタング７４１とスライド式に係合する。
【００６７】
ここで図７Ｃと７Ｄを参照すると、キッカー・アクチュエータ７０５は、機械手段によってアクチュエータ７０６の上に引っ掛けられるようにフック９０２を有する。アクチュエータ７０６は、キッカー・アクチュエータ７０５のフック９０２を結合して、１つに結合させるための開口７０７を有している。
【００６８】
ノーズ・リセプタクル７０４は、その側面にあるノーズ・グリップ７１４と、位置合わせピン７１５と、前面にある光開口７１６と、背面にある１つまたは複数のファイバ差込みプラグ開口７１７とを含む。一実施形態では、ノーズ・グリップ７１４は、光ファイバ・リセプタクルの開口の周囲の前方付近の垂直リブを含めて、左側面７１４Ｌと右側面７１４Ｒを含む。ノーズ・グリップは、光ファイバ・モジュールの引出しプロセス中に、追加のグリップ領域として役立つ。ノーズ・グリップ７１４は、ノーズ・リセプタクル上に１つまたは複数の垂直リブを含む。１つまたは複数の垂直リブは、グリップ・フィンガの間の圧力を増大し、したがって、取扱い中のすべりを防止する。ノーズ・グリップ７１４は、ノーズ・リセプタクル７０４の一体的部分であり、同様の材料で形成することができる。
【００６９】
図７Ｅ〜７Ｆは、引出しタブ７０８’の代替実施形態を有する代替光ファイバ・モジュール７００’を示す。光ファイバ・モジュールは、代替引出しタブ７０８’を有する代替機械サブアセンブリ７０２’を含む。図７Ａ〜７Ｄに関して記述した引出しタブ７０８は、ノーズ・リセプタクルに結合され、光ファイバ・モジュール７００の上面を横断して延びていた。ユーザは、光ファイバ・モジュールの上面または面を横断して延びる引出しタブ７０８を引いて、光ファイバ・モジュールを引き出す。図７Ｅ〜７Ｆに示す実施形態では、引出しタブ７０８’は、光ブロックとノーズ・リセプタクルの間を結合し、光ファイバ・モジュール７００’の底面から延びる。ユーザは、光ファイバ・モジュールの底面または面を横断して延びる引出しタブ７０８’を引いて、光ファイバ・モジュールをケージすなわちリセプタクルから引き出す。引出しタブ７０８’はプル領域７０９’を含む。この領域は、随意選択で、一対のアーム７２４と、開口７２５の回りに接合されたプル・グリップと、ＥＭＩシールドまたはプレート７５６とを含む。開口７２５は、キッカー・アクチュエータ７０５とアクチュエータ７０６がこの開口を通って延び、１つに組み立てられたとき、ノーズ・リセプタクル７０４内で前後にスライドさせるために設けられている。ＥＭＩシールドまたはプレート７５６は、以下でさらに議論するＥＭＩシールド８０６と同様に、光開口と、位置合わせ開口とを含み、１つまたは複数の接地タブ７８８を含む。代替として、引出しタブ７０８’は、非導電性として、接地タブ７８８を含まないようにしてもよい。
【００７０】
図７Ｇ〜７Ｈは、引出しタブ７０８”の代替実施形態を有する代替光ファイバ・モジュール７００”を示す。光ファイバ・モジュールは、代替引出しタブ７０８”を有する代替機械サブアセンブリ７０２”を含む。図７Ａ〜７Ｄに関して記述した引出しタブ７０８は、光ファイバ・モジュール７００の上部で、ノーズ・リセプタクルに結合されており、ユーザは、上部から引き出した。引出しタブ７０８”は、光ブロックとノーズ・リセプタクルとの間を結合し、光ファイバ・モジュール７００”の一方の側面または両側面から延びる。ユーザは、光ファイバ・モジュールの一方の側面または両側面から引出しタブ７０８”を引き出して、光ファイバ・モジュールをケージすなわちリセプタクルから引き出す。引出しタブ７０８”は１つまたは２つの引出し領域７０９”を含む。この領域は、随意選択で、プル・グリップ、左プル・アーム７３４Ｌ、右プル・アーム７３４Ｒまたは両方、ＥＭＩシールドまたはプレート７６６を含む。ＥＭＩシールドまたはプレート７６６は、以下でさらに議論するＥＭＩシールド８０６と同様に、光開口と位置合わせ開口とを含み、または１つまたは複数の接地タブ７８８を含む。代替として、引出しタブ７０８”は、非導電性とすることが可能であり、また接地タブ７８８を含まなくてもよい。
【００７１】
ここで図８Ａ〜８Ｇを参照すると、随意選択プル・グリップ７０９を有する引出しタブ７０８の図が示されている。引出しタブ７０８は、アーム８０４と、ＥＭＩシールド８０６と、接地タブ８０８とを含む。代替として、ＥＭＩシールド８０６は、同様の形状の非導電性プレートと交換し、接地タブ８０８を有さないことができる。引出しタブ７０８は、プル・アクチュエータと呼ぶことも可能である。引出しタブ７０８は、アーム８０４に結合されたパドル領域８０２を含む。このアームは、随意選択のプル・グリップ７０９に結合される。
【００７２】
一実施形態では、引出しタブ７０８は、柔軟な突出ハンドルであり、光ファイバ・モジュールの引出し中に、ユーザにとってプルアウト・タブとして役立つ。引出しタブ７０８は、光ファイバ・モジュールから延びて、ユーザが容易に触れてグリップすることができる。引出しタブ７０８は、取扱い中のすべりを防止するために、随意選択プル・グリップ７０９をさらに含む。随意選択プル・グリップ７０９は、ゴムまたはプラスチックの材料で形成することが可能である。
【００７３】
アーム８０４は最小の努力で折り曲げることができる。さらに、アーム８０４は、光ファイバ・モジュールの挿入中に、引出しタブが光コネクタを妨害するのを回避する。アーム８０４は、シート金属、ゴム・シート、またはプラスチック・シートの材料で形成することができる。随意選択プル・グリップ７０９は、ゴムまたはプラスチック樹脂を使用して射出成型することができる。
【００７４】
引出しタブ７０８自体は、ＥＭＩシールド８０６すなわち、ノーズ・リセプタクル７０４と光ブロックまたはポート１２０（図１０Ａ〜１０Ｅに示すような）との間にある垂直構成要素を設けることができる。名前が示すように、ＥＭＩシールド８０６は、光ファイバ・モジュールのノーズ・リセプタクルの前面から出るＥＭＩを遮断する遮蔽能力を有する。ＥＭＩシールド８０６は、ＥＭＩシールドの周囲にＥＭＩ放射の追加の保護を提供する１つから４つの接地タブ８０８を含む。接地タブ８０８は、また、ＥＭＩシールド８０６とケージ・アセンブリすなわちモジュール・リセプタクルとの間に、接地リンクまたはコンタクトを設けている。通常の場合、ケージ・アセンブリすなわちモジュール・リセプタクルは接地される。
【００７５】
ここで図８Ｃを参照すると、ＥＭＩシールド８０６は、ノーズ・リセプタクル７０４の位置合わせピン７１５が挿入される位置合わせピン開口８１２を含む。ＥＭＩシールド８０６は、第１光学電子デバイス用の第１光開口８１４と、第２光学電子デバイス用の第２光開口８１６とをさらに含む。光学電子デバイスを受けるための光またはフォトンの入射角に余裕を持たせるため光開口の一方を他方より大きくしてもよい。
【００７６】
ここで図９Ａ〜９Ｉを参照すると、キッカー・アクチュエータ７０５が詳細に示されている。キッカー・アクチュエータ７０５は、押しボタンとも呼ばれる。キッカー・アクチュエータ７０５は、スナップ・オン・フック９０２と、アームまたは押しロッド９０４と、オフセット押しタブすなわちボタン９０６とを含む。オフセット押しタブすなわちボタン９０６は、配向インジケータ９０８を含むことができる。一実施形態では、オフセット押しタブすなわちボタン９０６は、押しロッド９０４の中心からずれており、以下でさらに記述するベリーツーベリー取付け構成のクリアランスを提供する。フック９０２は、アームの一端にあり、一方オフセット押しタブ９０６は、アーム９０４の対向端にある。押しロッド９０４は、組立て中にノーズ・リセプタクルのコーナをクリアするように、凹みを含むことができる。アクチュエータ７０６とキッカー・アクチュエータ７０５のサブアセンブリは、ある角度でノーズ・リセプタクル７０４に挿入され、ノーズ・リセプタクル７０４とスライド式に係合するような位置にスナップばめされる。キッカー・アクチュエータ７０５は、エポキシ、熱可塑性プラスチック、ゴム、または金属で形成することができる。
【００７７】
オフセット押しタブ９０６は、Ｌ型の断面を特徴とする。スナップ・オン・フック９０２は、キッカー・アクチュエータ７０５をアクチュエータ７０６の上に固定するロック機構である。配向インジケータ９０８は、タブがどの光ファイバ・モジュールを解放するかを示すために、オフセット押しタブ９０６の前面上の矢印である。
【００７８】
ここで図１０Ａ〜１０Ｇを参照すると、組み立てた機械サブアセンブリ７０２は、光ブロック１２０と共に組み立てられる。１つに結合された光ブロック１２０とノーズ・リセプタクル７０４は、その間に、引出しタブ７０８のＥＭＩシールド・タブ８０６またはプレートをはさんでいる。接地タブ（８０８Ｌと８０８Ｒ）は、光ブロック１２０の周囲とその上に巻き付けられる。引出しタブの非導電性プレートは、接地タブを必要としない。キッカー・アクチュエータ７０５はアクチュエータ７０６に結合され、アクチュエータはノーズ・リセプタクル７０４に結合されている。キッカー・アクチュエータ７０５とアクチュエータ７０６を１つに結合するために、キッカー・アクチュエータ７０５のスナップ・オン・フック９０２は、アクチュエータ７０６の開口７０７に結合される。次いで、これが、ノーズ・リセプタクル７０４の底面にスナップばめされる。
【００７９】
キッカー・アクチュエータ７０５は、ノーズ・リセプタクルの前縁から延び、したがってエンドユーザが見ることができ、かつ、内側に押すことができるように触れることができる。キッカー・アクチュエータ７０５とアクチュエータ７０６は、ラッチを外し機構を光ファイバ・モジュール７００に提供する。キッカー・アクチュエータ７０５に対し内向きに及ぼされる力を使用して、光ファイバ・モジュール７００のラッチを外す。
【００８０】
引出しタブ７０８とノーズ・グリップ（７１４Ｌと７１４Ｒ）は、引出し機構を光ファイバ・モジュール７００に提供する。
【００８１】
ここで図１１Ａ〜１１Ｅを参照すると、光ファイバ・モジュールの例示的なケージ・アセンブリすなわちモジュール・リセプタクル１１００が示されている。図１１Ｂでは、ラッチ１１０２がモジュール・リセプタクル１１００の底面に示されている。ラッチ１１０２は、フックまたはボス１００２とかみ合うキャッチ１１０５を含む。図１１Ｃの断面図と、図１１Ｄの分解断面図とに示すように、ラッチ１１０２は、光ファイバ・モジュールを解放するために、下向きに曲げられている。アクチュエータ７０６は、キッカー・アクチュエータまたは押しボタン７０５に力が加えられたとき、ラッチ１１０２を下方に曲げる。キッカー・アクチュエータ７０５のランプは、ある角度に曲げられたラッチ１１０２のリップ１１０８と遭遇して、次いで、キャッチ１１０５がフックまたはボス１００２から解放されるように、ラッチ１１０２を曲げる。この解放機構と方法について、以下でさらに記述する。
【００８２】
ここで図１２を参照すると、光ファイバ・モジュール７００が、ケージすなわちリセプタクル１１００に挿入されている。図１２は、ラッチ１１０２と、ノーズ・リセプタクル７０４のボス１００２とを示す底面図である。ボス１００２は、ラッチ１１０２のキャッチすなわち開口１１０５の中に係合している。
【００８３】
ここで図１３Ａ、１３Ｂを参照すると、ケージすなわちリセプタクル１１００に挿入された光ファイバ・モジュール７００の断面図が示されている。ボス１００２は、開口１１０５を通って延び、ラッチ１１０２と係合している。図１３Ａ、１３Ｂでは、キッカー・アクチュエータ７０５は、押されていない状態、すなわち定常状態にある。ラッチ１１０２のばね張力は、キッカー・アクチュエータ７０５をこの状態に移行させる傾向がある。アクチュエータ７０６は１つまたは複数のランプ１３０８を含む。このランプは、ケージすなわちリセプタクル１１００のラッチ１１０２のリップ１１０８と係合する。ランプ１３０８は、リップ１１０８とスライド式に係合して、ラッチ１１０２をそこから押し出す。ボス１００２の場合、ランプがボスの上をスライドして、ラッチを押出し続けることができるように、一対のランプ１３０８が使用される。
【００８４】
ここで図１４Ａ、１４Ｂを参照すると、図１３Ａ、１３Ｂの断面と同様の断面が示されている。キッカー・アクチュエータ７０５が、ラッチ１１０２をボス１００２から係合解除するように押し込まれている点が異なる。この場合、ラッチ１１０２の開口１１０５は、ノーズ・リセプタクルのボス１００２と係合していない。
【００８５】
ここで図１４Ｂを参照すると、キッカー・アクチュエータ７０５が押されている、すなわち押し込まれている。オフセット押しタブ９０６を押すことによって、キッカー・アクチュエータ７０５は、アクチュエータ７０６をラッチ外し位置に向け、光ファイバ・モジュール７００をケージすなわちリセプタクル１１００から係合解除させる。図１４Ｂに示すように、キッカー・アクチュエータ７０５がアクチュエータ７０６を押し、それにより、１つまたは複数のランプ１３０８がリップ１１０８を押し出して、ラッチ１１０２をボス１００２の周囲から解放する。ラッチ１１０２のキャッチすなわち開口１１０５が係合解除しているので、光ファイバ・モジュール７００をケージすなわちリセプタクル１１００から押し出すことができる。光ファイバ・モジュール７００は、引出しタブ７０８および／またはノーズ・グリップ（７１４Ｌと７１４Ｒ）を使用することによって引き出すことができる。
【００８６】
ここで図１５を参照すると、本発明の実施形態を含む光ファイバ・モジュールを解放する方法のフロー・チャート図が示されている。本方法は、ケージすなわちリセプタクル１１００などのモジュール・ケージすなわちリセプタクルに挿入されている本発明の実施形態を含む光ファイバ・モジュール７００などの光ファイバ・モジュールを使用して、ステップ１５００から開始される（すなわち開始）。次いで、方法は、ステップ１５０２にジャンプする。たとえば、ステップ１５０２において、ユーザは、解放押しボタンまたはキッカー・アクチュエータ７０５を押して、ケージすなわちリセプタクル１１００のラッチ１１０２を光ファイバ・モジュール７００のボス１００２から係合解除させる。ステップ１５０４において、ユーザは、次いで、光ファイバ・モジュールの引出しを開始するために、引出しタブ７０８またはノーズ・リセプタクルのノーズ・グリップ（７１４Ｌと７１４Ｒ）などのプル機構を使用して、光ファイバ・モジュールを引き出す。次のステップであるステップ１５０６では、光ファイバ・モジュールのボス１００２が、キーまたはラッチ１１０２をクリヤーしたかを検査する。通過している場合、方法は、ステップ１５０７にジャンプして、ユーザは、完全に取り外されるまで、光ファイバ・モジュールの引出しを続行し、方法は、ステップ１５０８で終了する。ラッチ１１０２を通過していない場合、方法は、ステップ１５０２に戻り、ユーザは、解放押しボタンまたはキッカー・アクチュエータ７０５を押し続け、ステップ１５０４において、光ファイバ・モジュールの引出しを続行する。
【００８７】
ここで図１６を参照すると、本発明の実施形態を含む光ファイバ・モジュールをケージすなわちリセプタクルに係合させる方法のフロー・チャート図が示されている。本方法は、本発明を含む光ファイバ・モジュールを使用して、ステップ１６００において開始される（すなわち開始）。次いで、方法はステップ１６０２にジャンプする。ステップ１６０２において、光ファイバ・モジュールは、モジュール・ケージすなわちリセプタクルに挿入され、押し込まれる。次いで、ステップ１６０４において、光ファイバ・モジュールが、ケージすなわちリセプタクルに完全に挿入されているかを検査する。インジケータは、押しボタンまたはキッカー・アクチュエータ７０５である。押しボタンまたはキッカー・アクチュエータ７０５が完全に出ている場合、これは、光ファイバ・モジュールが完全に挿入されたことを示す。光ファイバ・モジュールが、完全に挿入されていない場合、ラッチ１１０２がボス１００２と係合するように、ステップ１６０２において、光ファイバ・モジュールをモジュール・ケージすなわちリセプタクルの中にさらに押す必要がある。光ファイバ・モジュールが完全に挿入された場合、本方法は、ステップ１６０６にジャンプし、そこで終了する。
【００８８】
システムにおいて、光ファイバ・モジュールの密度を増大することが望ましい。これを実施する他の方式は、ホスト印刷回路板の対向側面上に、光ファイバ・モジュールをベリーツーベリー取付け構成に配置することである。
【００８９】
ここで図１７Ａ〜１７Ｃを参照すると、ベリーツーベリー取付け構成を提供するそのような高密度光ファイバ・システム１７００が示されている。システム１７００は、面プレートすなわちベゼル１７０２と、ホスト印刷回路板１７０４とを含む。光ファイバ・モジュールのベリーツーベリー構成では、ベゼルすなわち面プレート１７０２は、光ファイバ・ケーブルが光ファイバ・モジュールにインタフェースされるように、１つまたは複数の開口１７０６Ａ〜１７０６Ｂを含み、または、光ファイバ・モジュール７００Ａ、７００Ｂなどの差込み可能光ファイバ・モジュールの場合、ベゼルすなわち面プレート１７０２の開口１７０６Ａ〜１７０６Ｂが、光ファイバ・モジュール自体を挿入し、かつ取り外すことができる。キッカー・アクチュエータ７０５により、光ファイバ・モジュール７００Ａ、７００Ｂの容易な取外しが促進される。光ファイバ・モジュール７００Ａのキッカー・アクチュエータ７０５Ａ、光ファイバ・モジュール７００Ｂのキッカー・アクチュエータ７０５Ｂは、両方の光ファイバ・モジュールが、それぞれのリセプタクルすなわちケージ・アセンブリ１１００Ａ、１１００Ｂに挿入されたとき遭遇する。ケージ・リセプタクル１１００Ａ、１１００Ｂは、ホスト印刷回路板１７０４をはさんでいる。２つの光ファイバ・モジュールのみが、ベリーツーベリー構成で図１７Ａに示されているが、複数の光ファイバ・モジュール７００を内部に挿入できるように、追加の光ファイバ・モジュールを、ベリーツーベリー構成の光ファイバ・モジュールとしてシステム１７００に並列して配列させることができる。
【００９０】
それぞれのキッカー・アクチュエータ７０５Ａ、７０５Ｂが１つに合わさって、１つのボタンを形成し、このボタンは、光ファイバ・モジュール７００Ａ、７００Ｂの両方とも同時にラッチを外すために使用される。
【００９１】
ここで図１８Ａ〜１８Ｄを参照すると、光ファイバ・モジュール７００Ａ、７００Ｂのそれぞれの機械要素７０２が、ベリーツーベリー取付け構成において１つになる様子が示されている。
【００９２】
キッカー・アクチュエータ７０５Ａ、キッカー・アクチュエータ７０５Ｂは、その間の小さいギャップでインタリーブされ、それにより、１つまたは両方を個々にまたは同時に押して、１つまたは両方の光ファイバ・モジュール７００Ａ、７００Ｂを取り外すことが可能になる。オフセット押しタブ９０６の前面にある配向インジケータ（すなわち矢印サイン９０８）は、どの光ファイバ・モジュールが、高密度モジュール取付け構成またはベリーツーベリー取付け構成中に、アクチュエータ・キッカー７０５ごとに役立つかについて明瞭な表示を提供する。キッカー・アクチュエータ７０５Ａは、光ファイバ・モジュール７００Ａに向かって上方を指す配向インジケータ９０８Ａを有する。キッカー・アクチュエータ７０５Ｂは、光ファイバ・モジュール７００Ｂに向かって下方を指す配向インジケータ９０８Ｂを有する。このようにして、配向インジケータ９０８は、２つの押しボタンのどちらが、それぞれの光ファイバ・モジュール７００Ａまたは７００Ｂを解放するかを示している。それぞれのキッカー７０５Ａ、７０５Ｂの各々は、それぞれ、光ファイバ・モジュール７００Ａ、７００Ｂのそれぞれのアクチュエータ７０６Ａ、７０６Ｂに結合される。
【００９３】
アクチュエータ７０６Ａ、７０６Ｂの間のギャップは、かなり小さい（約０．５ｍｍ以下）。キッカー・アクチュエータ７０５Ａ、７０５Ｂがない場合、それぞれのアクチュエータ７０６Ａ、７０６Ｂに到達することが困難になる。オフセット押しタブ９０６の設計により、キッカー・アクチュエータ７０５は、光ファイバ・モジュールを取り付ける際に、そのような近いギャップで機能することが可能になる。
【００９４】
ここで図１９Ａ〜１９Ｆと図２０Ａ〜２０Ｄを参照すると、統合された押しボタン・アクチュエータ１９００の図が示されている。統合押しボタン・アクチュエータ１９００は、単一ユニットに統合されたアクチュエータ７０６とキッカー・アクチュエータ７０５の形状を含む。統合押しボタン・アクチュエータ１９００は、ノーズ・リセプタクル７０４のタング７４１とスライド式にインタフェースするように、端部にある１つまたは複数のランプ１９０９と各側面にあるスロットまたは溝１９２１を有する始動端部１９０６と、アームまたは押しロッド１９０４と、配向インジケータ１９０８を有するオフセット押しタブ１９０６とを含む。統合押しボタン・アクチュエータ１９００は、キッカー・アクチュエータ７０５をアクチュエータ７０６の開口に結合する必要があるフックを有していない。したがって、統合押しボタン・アクチュエータ１９００は、組立てステップを低減することができ、より安い組立てコストとすることができる。統合押しボタン・アクチュエータ１９００は、光ファイバ・モジュールに組み立てるために、そのモジュールのノーズ・リセプタクルのタング７４１にスナップばめすることのみが必要である。
【００９５】
図２１Ａ〜２１Ｄは、ベリーツーベリー取付け構成のオフセットがない、キッカー・アクチュエータ７０５と統合押しボタン・アクチュエータ１９００の代替押しボタン実施形態を示す。図２１Ａ〜２１Ｂは、アームまたは押しロッドと整列した円または楕円の押しボタン９０６’を示す。図２１Ｃ〜２１Ｄは、アームまたは押しロッドと整列した矩形または正方形の押しボタン９０６”を示す。
【００９６】
ここで図２２Ａ〜２２Ｈを参照すると、光ファイバ・モジュールのプル・アクチュエータ２２０２を含むノーズ・リセプタクル２２００の代替実施形態が示されている。プル・アクチュエータすなわちラッチ外しプラー２２０２を使用して、プル・アクチュエータ２２０２を後方に、またはノーズ・リセプタクル２２００から離れるように引くことによって、光ファイバ・モジュールの係合を外して、取り外すことができる。
【００９７】
ノーズ・リセプタクル２２００は、上述した他の実施形態に以前に示したような光ファイバ・モジュールすなわち差込み可能光ファイバ・モジュールの一部として組み込むことが可能である（すなわち１００、７００など）。
【００９８】
図２２Ｈは、光ファイバ・モジュール（ノーズ・リセプタクル２２００の部分を示す）は、１１００（ケージ・アセンブリラッチ部分１１０２のみを示す）などケージ・アセンブリすなわちモジュール・リセプタクルに光ファイバ・モジュールを結合し、かつ取り外すために、プル・アクチュエータ２２０２とピボットアーム・アクチュエータ２２０４を含む。係合したとき、ピボットアーム・アクチュエータ２２０４は、ケージ・アセンブリラッチ１１０２をラッチし、光ファイバ・モジュールをケージ・アセンブリに固定する。
【００９９】
図２３は、プル・アクチュエータ２２０２と、ピボットアーム・アクチュエータ２２０４と、ケージ・アセンブリラッチ１１０２とを示す。ピボットアーム・アクチュエータ２２０４は、ラッチ・キー、キーパー、ピン、フック、またはボス２５０２（これらの用語は、本明細書では交換して使用することが可能である）を含み、これらは、ケージ・アセンブリ・ラッチ１１０２のキャッチすなわち開口１１０５と係合して、光ファイバ・モジュールをケージ・アセンブリ１１００に固定する。プル・アクチュエータ２２０２が、ケージ・アセンブリ１１００から離れるように引かれたとき、プル・アクチュエータにより、ピボットアーム・アクチュエータ２２０４は、ピボットピン２５０６の回りに回転し、それにより、キーパー、フック、またはボス２５０２が、ケージ・ラッチ１１０２から外れ、それによりノーズ・リセプタクル２２００を解放する。
【０１００】
図２４Ａ〜２４Ｉは、プル・アクチュエータ２２０２の１つの実施形態を示す。プル・アクチュエータ２２０２は、プルタブ２４０２と、配向インジケータ２４０４と、一端においてプルタブ２４０２に結合されたシャフトまたはプル・アーム２４０６とを含む。代替実施形態では、プルタブ２４０２は、プルボタン、プルフック、プルリング、プルスクエア、またはプル・アクチュエータ２２０２を稼動させるあらゆる他の等価な機構とすることも可能である。第１面２４０８と第２面２４１０は、プル・アーム２４０６の他端に結合されている。第１面２４０８は、ピボットアーム・アクチュエータがプル・アクチュエータと係合することを可能にする開口すなわちキャッチ２４１６を含む。第２面２４１０は、ピボットアーム・アクチュエータ２２０４がプル・アクチュエータ２２０２と係合するために通って移動するチャネル２４１８を形成する２つのタブ（図２４Ｂ、２４１０Ａ、２４１０Ｂ）とすることが可能である。
【０１０１】
プル・アクチュエータ２０２は、対応するプル・アクチュエータが解放するノーズ・リセプタクルを示すのに役立つ随意選択の配向インジケータ２４０４を含むことも可能である。配向インジケータ２４０４が有用である１つの態様は、光ファイバ・モジュールがベリーツーベリー構成で構成される場合である。
【０１０２】
一実施形態によれば、第１面２４０８と第２面２４１０は、プル・アクチュエータ２２０２をノーズ・リセプタクル２２００にスライド式に結合するのに役立つ溝２４１２を形成させることが可能である。ノーズ・リセプタクル２２００は、プル・アクチュエータの溝２４１２がスライドする対応するレールを含む。他の実施形態では、溝がノーズ・リセプタクル２２００の一部であり、レールがプル・アクチュエータ２２０２の一部であってもよい。
【０１０３】
図２４Ｈに示すように、プル・アクチュエータ２２０２は、ピボットアーム・アクチュエータ２２０４のキーパー、フック、またはボス２５０４が係合するキャッチすなわち開口２４１６をも備えている。
【０１０４】
図２５Ａ〜２５Ｉは、ピボットアーム・アクチュエータ２２０４の一実施形態を示す。ピボットアーム・アクチュエータ２２０４は、ピボットピン２５０６、第１ラッチ・キー、キーパー、ピン、フック、ボス、または係合トライアングル２５０２（これらの用語は、本明細書では交換して使用可能である）を第１端部に備え、また第２ラッチ・キー、キーパー、ピン、フック、またはボス２５０４を第１端部と対向する第２端部に備える。第１キーパーまたはフック２５０２は、ノーズ・リセプタクル２２００または第１光モジュールをケージ・アセンブリ・ラッチ１１０２に固定または結合するのに役立つ。第２キーパーまたはフック２５０４は、ピボットアーム・アクチュエータ２２０４をプル・アクチュエータ２２０２に結合するのに役立つ。
【０１０５】
代替実施形態によれば、ピボットアーム・アクチュエータ２２０４の第１キーパーおよび／または第２キーパーは、キャッチすなわち開口とすることが可能であり、対応するキーパーは、代わりに、プル・アクチュエータ２２０２および／またはケージ・アセンブリ１１００の上にある。
【０１０６】
第１光ファイバ・モジュールが、ケージ・アセンブリすなわちモジュール・リセプタクルに完全に係合または固定されたとき、第１キーパー２５０２は、ケージ・アセンブリラッチ１１０２の開口１１０５に結合される。第２キーパー２５０４は、プル・アクチュエータ２２０２のキャッチすなわち開口２４１６に結合される。第２キーパー２５０４は、ランプ・スライド表面２５０８を含み、これにより、ピボットアーム・アクチュエータ２２０４は、プル・アクチュエータ２２０２が引かれたとき回転する。ランプ・スライド表面２５０８が上で回転するプル・アクチュエータ２００２上の縁は、一実施形態では丸くすることが可能である。
【０１０７】
ピボットアーム・アクチュエータ２２０４は、ピボットピン２５０６によって、ノーズ・リセプタクル２２００の本体に回転可能に結合されている。一実施形態では、ピボットピン２５０６は、光ファイバ・モジュールまたはノーズ・リセプタクル本体２２００の対応する開口を通ってはめ込まれる。
【０１０８】
図２６Ａ〜２６Ｃは、ケージ・アセンブリ１１００（ケージ・ラッチ部分１１０２が示されている）に係合または結合された光ファイバ・モジュール（ノーズアセンブリ２２００とラッチ機構２２０２と２２０４とが示されている）の断面図を示す。これらの図は、それぞれ図２４Ａ〜２４Ｉと図２５Ａ〜２５Ｉに示すように、プル・アクチュエータ２２０２とピボットアーム・アクチュエータ２２０４を使用するラッチ機構を示す。
【０１０９】
係合トライアングル２５０２は、光ファイバ・モジュール（ノーズ・リセプタクル２２００の部分のみを示す）をケージ・アセンブリ１１００（ケージ・ラッチ１１０２の部分のみを示す）に係合、結合、または固定するために、対応する開口すなわちキャッチ１１０５（図２３に示す）を通ってはめ込まれる。係合位置では、ピボットアーム・アクチュエータ２２０４の第２キーパー２５０４は、プル・アクチュエータ２２０２の開口すなわちキャッチ２４１６を通ってはめ込まれる。この位置では、プル・アクチュエータ２２０２上の面２４１４は、ピボットアーム・アクチュエータ２２０４上の面２５１０（図２５Ｅ）に隣接する。
【０１１０】
ここで図２７Ａ〜２７Ｃを参照すると、光ファイバ・モジュール（ノーズ・リセプタクル２２００）をケージ・アセンブリ１１００（ケージ・ラッチ１１０２）から係合を解除させて引き出すときの、プル・アクチュエータ２２０２とピボットアーム・アクチュエータ２２０４が示されている。
【０１１１】
ノーズ・リセプタクル２２００をケージ・ラッチ１１０２から係合を解除させるために、プル・アクチュエータ２２０２のプルタブ２４０２は、図示したように、光ファイバ・モジュールから引き離される。これにより、プル・アクチュエータ２２０２のラッチ面２４１４上の丸い縁２７０２は、ピボットアーム・アクチュエータ２２０４のランプ・スライド面２５０８に逆らって移動する。次に、プル・アクチュエータ２２０２によってランプ・スライド面２５０８に及ぼされた力により、ピボットアーム・アクチュエータ２２０４が、ピボットピン２５０６の回りに回転し、それにより、係合トライアングルすなわちラッチ２５０２をケージ・ラッチ開口１１０５から係合解除する。
【０１１２】
次いで、プル・アクチュエータ２２０２を引き続けることにより、あるいは、光ファイバのノーズ・クリップまたはノーズ・リセプタクルを引き続けることにより、光ファイバ・モジュールをケージ・アセンブリから引き出すまたは取り外すことができる。
【０１１３】
ここで図２８Ａ〜２８Ｉを参照すると、プル・アクチュエータ２２０２’の他の実施形態が示されている。この実施形態では、プル・アクチュエータ２２０２’は、エンドストップ２８２０を有するレッグ２８０８を含む。エンドストップ２８２０により、光ファイバ・モジュールをケージ・アセンブリ１１００から解放するためにプル・アクチュエータ２２０２’を引く際に、このプル・アクチュエータが、ある点を超えて移動することが防止される。
【０１１４】
プル・アクチュエータ２２０２’は、ノーズ・リセプタクル２２００’の溝を通ってスライドする縁２８３０を有する第１面２８１０を含む。
【０１１５】
図２９Ａ〜２９Ｉは、ピボットアーム・アクチュエータ２２０４’の他の代替実施形態を示す。この実施形態では、ピボットアーム・アクチュエータ２２０４’は、ばね２９１２をさらに含む。様々な実施形態によれば、ばね２９１２は、ピボットアーム・アクチュエータ２２０４’と同じ材料で形成することが可能であり、または、ピボットアーム・アクチュエータ２２０４’に結合された別々の構成要素とすることが可能である。ばね２９１２は、コイルばね、リーフばね、サポートばね、圧縮ばね、円錐型ばね、らせんばね、円錐ばね、渦巻きばね、スクラッグばね、他の周知のタイプのばねを含むあらゆる種類のばねとすることが可能である。
【０１１６】
図３０Ａ〜３０Ｃは、ケージ・アセンブリ１１００（ケージ・ラッチ部分１１０２を示す）に係合または結合された光ファイバ・モジュール（ノーズアセンブリ２２００’とラッチ機構２２０２’、２２０４’とを示す）の様々な断面図を示す。これらの図は、図２８Ａ〜２８Ｉに示したプル・アクチュエータ２２０２’と、図２９Ａ〜２９Ｉに示したピボットアーム・アクチュエータ２２０４’とを使用するラッチ機構を示す。
【０１１７】
光ファイバ・モジュールはケージ・アセンブリに係合されるが、ばね２９１２は、ピボットアーム・アクチュエータ２２０４’を係合位置に維持するために、ある力を与える。
【０１１８】
係合位置では、プル・アクチュエータ２２０２’のエンドストップ２８２０は、ノーズ・リセプタクル２２００’の停止縁３１０２から分離される。
【０１１９】
図３１Ａ〜３１Ｃは、光ファイバ・モジュール（ノーズ・リセプタクル２２００’）をそのケージ・アセンブリ１１００（ケージ・ラッチ１１０２の部分を示す）を係合を解除し、引き出すときプル・アクチュエータ２２０２’とピボットアーム・アクチュエータ２２０４’が動作する方式を示す。
【０１２０】
プル・アクチュエータ２２０２’を引くことにより、プル・アクチュエータ２２０２’の丸い縁３１０４がピボットアーム・アクチュエータ２２０４’のランプ・スライド面２９０８に及ぼす力の結果として、ピボットアーム・アクチュエータ２２０４’は、回転する。上述したように、これにより、係合トライアングル２９０２は、ケージ・アセンブリラッチ１１０２から係合解除されて、それにより、光ファイバ・モジュールをケージ・アセンブリから係合解除させる。
【０１２１】
ピボットアーム・アクチュエータ２２０４’が、係合解除するように回転するとき、ばね２９１２は、圧縮され、それにより、対抗力をピボットアーム・アクチュエータ２２０４’に及ぼす。
【０１２２】
プル・アクチュエータ２２０２’に対する引く力が、除去または停止されたとき、ばね２９１２は圧縮を解消され、それにより、ピボットアーム・アクチュエータ２２０４’は当初の位置に戻る。ピボットアーム・アクチュエータ２２０４’が当初の位置に戻る動きにより、プル・アクチュエータ２２０２’は、当初の位置へと光ファイバ・モジュールの中に収縮する。これは、ランプ・スライド面２９０８が、キャッチすなわち開口２８１６内の当初の位置へ回転して戻る際に、丸い縁３１０４に収縮力を及ぼすからである。
【０１２３】
エンドストップ２８２０は、プル・アクチュエータを引き出す際に、プル・アクチュエータ２２０２’が過度に遠くまで引き出されるのを停止するのに役立つ。ノーズ・リセプタクル・アセンブリ２２００’は、エンドストップ２８２０がある点を越えて移動するのを停止させるための停止縁３１０２を含む。エンドストップ２８２０またはその等価物も、プル・アクチュエータ２２０２’を引き続けることによって、光ファイバ・モジュールをケージ・アセンブリから引き出すのを可能にする。
【０１２４】
ここで図３２Ａ〜３２Ｉを参照すると、プル・アクチュエータ（すなわち２２０２または２２０２’）のプル機構の代替実施形態が示されている。プル・アクチュエータ（すなわち２２０２または２２０２’）のプル・アーム３２０６部分（図２０の１９０４、図２４の２４０６、または図２８の２８０６に等価）のみが示されている。
【０１２５】
図３２Ａは、プル・アーム３２０６に回転可能に結合された回転プルリング３２０２Ａを有するプル・アクチュエータ２２０２Ａ’を示す。プルリング３２０２Ａが回転する方向を矢印で示す。この実施形態では、プルリング３２０２Ａは、プル・アクチュエータ２２０２Ａ’に対して水平である。ユーザは、回転リング３２０２Ａを引いて、プル・アクチュエータ２００２Ａ’を収縮させる。
【０１２６】
図３２Ｂは、他の回転プルリング３２０２Ｂが回転可能にプル・アーム３２０６に結合されている、プル・アクチュエータ２２０２Ｂ’を示す。この実施形態では、プルリング３２０２Ｂは、プル・アクチュエータ２２０２Ｂ’に対して水平である。矢印は、プルリング３２０２Ｂが回転する方向を示す。ユーザは、回転プルリング３２０２Ｂを引いて、プル・アクチュエータ２００２Ｂ’を収縮させる。
【０１２７】
図３２Ｃは、固定プルリング３２０２Ｃがプル・アーム３２０６の端部に結合されているプル・アクチュエータ２２０２Ｃ’を示す。プルリング３２０２Ｃは、プル・アクチュエータ２２０２Ｃ’に対して水平である。ユーザは、プルリング３２０２Ｃを引いて、プル・アクチュエータ２００２Ｃ’を収縮させる。
【０１２８】
図３２Ｄは、他の固定プルリング３２０２Ｄがプル・アーム３２０６の端部に固定されているプル・アクチュエータ２２０２Ｄ’を示す。プルリング３２０２Ｄは、プル・アクチュエータ２２０２Ｄ’に対して水平である。ユーザは、プルリング３２０２Ｄを引いて、プル・アクチュエータ２００２Ｄ’を収縮させる。
【０１２９】
図３２Ｅは、他の固定プルリング３２０２Ｅがプル・アーム３２０６の端部に結合されているプル・アクチュエータ２２０２Ｅ’を示す。プルリング３２０２Ｅは、プル・アクチュエータ２２０２Ｅ’に対してある角度にある。ユーザは、プルリング３２０２Ｅを引いて、プル・アクチュエータ２００２Ｅ’を収縮させる。
【０１３０】
図３２Ｆは、プルスクエア３２０２Ｆがプル・アーム３２０６の端部に結合されているプル・アクチュエータ２２０２Ｆ’を示す。プルスクエア３２０２Ｆは、プル・アクチュエータ２２０２Ｆ’に対して水平である。ユーザは、プルスクエア３２０２Ｆを引いて、プル・アクチュエータ２００２Ｆ’を収縮させる。
【０１３１】
図３２Ｇは、プルフック３２０２Ｇがプル・アーム３２０６の端部にあるプル・アクチュエータ２２０２Ｇ’を示す。ユーザは、プルフック３２０２Ｇを引いて、プル・アクチュエータ２００２Ｇ’を収縮させる。
【０１３２】
図３２Ｈは、プルボタン３２０２Ｈがプル・アーム３２０６の端部に結合されているプル・アクチュエータ２２０２Ｈ’を示す。ユーザは、プルボタン３２０２Ｈを引いて、プル・アクチュエータ２００２Ｈ’を収縮させる。
【０１３３】
図３２Ｉは、プルノブ３２０２Ｉがプル・アーム３２０６の端部に結合されているプル・アクチュエータ２２０２Ｉ’を示す。ユーザは、プルノブ３２０２Ｉを引いて、プル・アクチュエータ２００２Ｉ’を収縮させる。
【０１３４】
図３２Ａ〜３２Ｉは、プル・アクチュエータ（すなわち２２０２または２２０２’）のプル機構のいくつかの実施形態を示す。当業者に既知の他のプル機構を使用することも可能である。
【０１３５】
ここで図３３Ａ〜３３Ｄを参照すると、本発明の他の実施形態のベリーツーベリー取付け構成の様々な図が示されている。図３２Ａ〜３２Ｄに示した光ファイバ・モジュールは、図２４と２８に示したプル・アクチュエータ２２０２、２２０２’またはその等価物を使用する。図３２Ａ〜３２Ｄでは、光ファイバ・モジュール２２００Ａ、２２００Ｂが、図示したように積み重なっているとき、プル・アクチュエータ２２０２Ａ、２２０２Ｂは、互いに妨害しないように設計される。光ファイバ・モジュールのこのベリーツーベリー構成は、上記の図１７Ａ〜１７Ｄに関して記述した。その記述は、本明細書で記述するプル・アクチュエータ（すなわち２２０２と２２０２’）を使用する光ファイバ・モジュールに適用される。
【０１３６】
ここで図３４Ａ〜３４Ｉを参照すると、光ファイバ・モジュールのベイル・ラッチのラッチ外し機構を含むノーズ・リセプタクル３４０２のサブアセンブリの様々な図が示されている。ノーズ・リセプタクル３４０２は、光ファイバ・モジュールの機械サブアセンブリの一部であるが、光ファイバ・モジュールのノーズ・リセプタクル３４０２のみを図３４Ａ〜３４Ｉに示す。ノーズ・リセプタクル３４０２は、ノーズとも呼ばれ、光ファイバ・モジュール１００のノーズ・リセプタクルまたはノーズ１５１と、光ファイバ・モジュール７００、７００’、７００”のノーズ・リセプタクルまたはノーズ７０４とに対する代替実施形態である。
【０１３７】
ノーズ・リセプタクル３４０２は、ベイル・ラッチ３４０４と、ピボットピン３４０６と、アクチュエータ３４０８とを含む。ベイル・ラッチ３４０４は、アクチュエータ３４０８を押して、光ファイバ・モジュールをケージから係合解除させるための押しタブ、作動タブ、キック、または押し機構３４１０を含む。光ファイバ・モジュールが、ケージまたはモジュール・リセプタクルに係合しているので、ベイル・ラッチ３４０４を使用して、光ファイバ・モジュールを、図１１に示すケージすなわちリセプタクル１１００など、ケージすなわちリセプタクルから係合解除して、引き出すことができる。すなわち、ベイル・ラッチ３４０４は、アクチュエータ３４０８と接触して、それを前方位置に押して、ケージすなわちリセプタクル１１００のロック・タブまたはラッチ１１０２が、ノーズまたはノーズ・リセプタクル３４０２のロック・トライアングルすなわちボス１００２の上に保持しているのを係合解除させるのに役立つ。
【０１３８】
光ファイバ・モジュールをケージすなわちリセプタクルから係合解除させるために、まず、ベイル・ラッチ３４０４を係合位置から係合解除位置に移動させる。一実施形態では、係合位置は、垂直位置であり、一方、係合解除位置は、水平位置である。以下でさらに議論するように、ベイル・ラッチとアクチュエータの他の実施形態は、ノーズ・リセプタクル３４０２と、このリセプタクルが一部である光ファイバ・モジュールとに関して、異なる係合位置と係合解除位置を設けることが可能である。光ファイバ・モジュールは、ノーズ・リセプタクル３４０２のベイル・ラッチ３４０４を引き出す、または後方に引くことによって引き出される。ベイル・ラッチ３４０４は、光ファイバ・モジュールをケージすなわちリセプタクルから引き出すプロセスのラッチ外しのために、十分なグリップを提供して、アクチュエータ３４０８に到達する。一実施形態では、ノーズ・リセプタクル３４０２は、ＳＦＰケージを係合解除させるために、ＳＦＰ光ファイバ・モジュールの一部である。
【０１３９】
ここで図３５Ａ〜３５Ｉを参照すると、本発明の一実施形態のピボットピン３４０６を含むベイル・ラッチ３４０４の第１実施形態の様々な図が示されている。
【０１４０】
ベイル・ラッチ３４０４は、図３５Ａ〜３５Ｉに示し、かつ図示するように、一対の回転点または側面タブ３５０２と、押しタブ、キック、または押し機構３４１０と、中心部材３５０５に結合されたプル・アームすなわちプル・ハンドル３５０４とを含む。一実施形態では、ベイル・ラッチ３４０４のこれらの構成要素は、ノーズ・リセプタクル３４０２の前面と側面に沿ってハグして、側面から見たとき、Ｇ字状の形状を形成することができる。ピボット点または側面タブ３５０２は、それぞれ、ピボットピン３４０６に到達するために、穴または開口３５０６を含むことができる。側面タブ３５０２の２つの穴または開口３５０６の中心軸は、ベイル・ラッチ３４０４の回転軸であり、したがって、ピボットピン３４０６はそこに位置する。動作中、ベイル・ラッチ３４０４は、ピボットピン３４０６によって、ノーズ・リセプタクル３４０２に回転式に結合される。
【０１４１】
プル・アームすなわちプル・ハンドル３５０４は開口３４１２を含み、これにより、光ファイバ・モジュールが係合解除位置にあるとき、それを引き出すために、フィンガを挿入することが可能になる。開口３４１２も、ノーズ・リセプタクル３４０２が係合位置にあるとき、それに光ファイバ差込みプラグと光ファイバを挿入することを可能にする。プル・アームすなわちプル・ハンドル３５０４は、ベイル・ラッチ３４０４を係合位置から係合解除位置までつかむことを容易にするために、グリップ３４１４を含む。ベイル・ラッチ３４０４は、金属、プラスチック（熱可塑性プラスチックを含む）、熱硬化性、エポキシ、または他の固体材料で形成することができる。
【０１４２】
ピボットピン３４０６は、ロッドと呼ぶこともでき、金属、熱可塑性プラスチック、熱硬化性、エポキシ、または他の固体材料の長く薄いロッドまたはシリンダであり、ベイル・ラッチが回りを回転することができる軸を有する。ピボットピン３４０６は、ノーズ・リセプタクル３４０２に共に回転式に結合されたベイル・ラッチを保有する。ピボットピンは、ベイル・ラッチ３４０４の回転装置として役立つ。二次的に、ピボットピン３４０６は、図３に示すように、ノーズ・リセプタクル３４０２に結合されたベイル・ラッチを保有する。ノーズ・リセプタクル３４０２は、ピボットピン３４０６を受けるために、各側面に一対の開口または穴を含み、または代替として、その点が固体である場合は、その本体を通る長い開口または穴を含む。ここで一時的に図３８Ｄと３８Ｅを参照すると、ノーズ・リセプタクル３４０２の左側面の開口３８０１が、内部に挿入されたピボットピン３４０６と共に示されている。
【０１４３】
ベイル・ラッチ３４０４’（図３５Ｃ）の一実施形態は、ユーザがレバー・アーム３５０４Ｉ’を引いていないまたは回転させていないとき、閉鎖位置において光ファイバ・モジュールの面に対してベイル・ラッチ３４０４’を収縮させるために、随意選択ばね３４１９を含むことも可能である。ねじればね、コイルばね、円錐型ばね、巻取りばね３９１９（図３９Ｉに示す）、バイアスばね、張力ばね、保持ばね、その他を含めて、様々なタイプのばねがこの目的を果たすことが可能であることに留意されたい。随意選択ばねは、使用していないときにベイル・ラッチ・アーム３４０４’を収縮させるために、ラッチの回転軸に沿って、または他の周知の構成で取り付けることが可能である。
【０１４４】
ここで図３６Ａ〜３６Ｉを参照すると、アクチュエータ３４０８の様々な図が示されている。アクチュエータ３４０８は、図７Ａ〜１４Ｂに関して前述したアクチュエータ７０６と、そこで記述した光ファイバ・モジュールの構造と機能にある程度類似している。一実施形態では、アクチュエータ３４０８は、ＳＦＰ光ファイバ・モジュールのＭＳＡ規格に適合する従来のアクチュエータである。他の実施形態では、アクチュエータ３４０８は、ベイル・ラッチ３４０４と適切に結合するように調整することが可能である。アクチュエータ３４０８は、ベイル・ラッチ３４０４の押しタブ２４１０によって押されたとき、光ファイバ・モジュールをケージ１１００から係合解除させるように機能する。
【０１４５】
アクチュエータ３４０８は、当接面３６０１と、各側面上にある一対のスライド・ガイド・スロットまたは溝７２１と、１つまたは複数のランプ、ウエッジ、またはリフタ（その一対を示す）１３０８とを含む。当接面３６０１は、アクチュエータ３４０８の背面の一部であり、一方、ランプ、ウエッジ、またはリフタ１３０８は、アクチュエータ３４０８の前面の一部である。アクチュエータ３４０８の各側面のスロットすなわち溝７２１は開口を一端に有し、クロージャを対抗端に有する。スロットまたは溝７２１は、ノーズ・リセプタクル３４０２において、タング７４１とスライド式に係合する。図３４Ｇと３４Ｆに示したが、ノーズ・リセプタクル３４０２のタング７４１は、図７Ｂのノーズ・リセプタクル７０４の分解図によりよく示されている。アクチュエータ３４０８の当接面３６０１は、光ファイバ・モジュールが係合解除されているとき、ベイル・ラッチ３４０４の押しタブ３４１０と接触する。１つまたは複数のランプ、ウエッジ、またはリフタ１３０８は、以下で記述し、かつ図１２、１３Ａ〜１３Ｂ、１４Ａ〜１４Ｂにおいて記述したように、光ファイバ・モジュールを係合解除させるために、ケージ１１００のラッチ１１０２と接触する。アクチュエータ３４０８は、金属、熱可塑性プラスチック、熱硬化性、エポキシ、または他の固体材料で形成することが可能である。
【０１４６】
ここで図３７Ａ〜３７Ｅと図３８Ａ〜３８Ｅを参照すると、本発明の一実施形態について、それぞれ係合位置と係合解除位置における、図３４Ａ〜３４Ｉの統合されたノーズアセンブリとラッチ機構の様々な断面図が示されている。
【０１４７】
図３７Ａ〜３７Ｅでは、ベイル・ラッチ３４０４は、直立、閉鎖、または係合位置にある。すなわち、光ファイバ・モジュールは、この位置にあるベイル・ラッチ３４０４で、ケージと固定式に係合することができる。光ファイバ・モジュールは、直立、閉鎖、または係合位置にあるベイル・ラッチ３４０４で、ケージ１１００の中に押すことができる。ベイル・ラッチ３４０４が直立、閉鎖、または係合位置にあるので、アクチュエータ３４０８とそのランプ、ウエッジ、またはリフタ１３０８は、ノーズ・リセプタクル３４０２のボスまたはロック・トライアングル１００２から十分に離れて、後方、ロック、または係合位置にあることができる。これにより、ノーズ・リセプタクル３４０２のボスまたはロック・トライアングル１００２は、ラッチ１１０２の開口すなわちキャッチ１１０５の中に合致または係合することが可能になる。ベイル・ラッチ３４０４を、力の矢印３７０１によって示したように引いて、まず、矢印３７０２によって示すようにピボットピン３４０６の軸の回りに回転させることができる。ベイル・ラッチ３４０４が、直立、閉鎖、または係合位置から回転する際に、ユーザは、光ファイバ・モジュールを外向きに引き続けるために、同じフィンガをプル・ハンドル３４１４の開口３４１２の中に挿入することができる。
【０１４８】
図３８Ａ〜３８Ｅでは、ベイル・ラッチ３４０４は、水平、開放、または係合解除位置にある。ハンドル３４１４の湾曲部分により、ユーザは、フィンガを開口３４１２に維持して、水平、開放、または係合解除位置にあるときでも、光ファイバ・モジュールを外向きに引き続けることが可能になる。ベイル・ラッチ３４０４を引くことによって、ベイル・ラッチは、まず、ノーズ・リセプタクル３４０２の底部分に沿った軸の回りに回転することができる。ベイル・ラッチ３４０４が回転する際に、ベイル・ラッチ３４０４の押しタブ３４１０は、徐々に前方に延びる。押しタブ３４１０の延長部は、アクチュエータ３４０８の当接面３６０１と接触して、それをケージ１１００のラッチ１１０２に向かって前方にスライドさせる。アクチュエータ３４０８の前向きの推力により、ランプ１３０８は、ラッチ１１０２を押し出して、ボスまたはトライアングル１００２をケージ１０００の開口１１０２から自由にして、光ファイバ・モジュールをケージ１１００から係合解除させる。代替実施形態では、ケージは、ボスまたはロック・トライアングルを含むことが可能であり、これをノーズ・リセプタクルの穴または開口から押し出して、光ファイバ・モジュールをケージから係合解除させる。ベイル・ラッチ３４０４上の引く力３８０２によって示すように、連続的に引く行為は、光ファイバ・モジュールをケージから完全に引き出すことができる。このようにして、ベイル・ラッチ３４０４での単一の連続的に引く行為により、光ファイバ・モジュールをケージから係合解除させて、引き出すことができる。ベイル・ラッチ３４０４が水平、開放、または係合解除位置にあるので、対抗力を使用することによって、ケージ１１００の内部または外部において、直立、閉鎖、または係合位置に容易に戻ることができる。代替として、ベイル・ラッチ３４０４は、それを直立、閉鎖、または係合位置にそれ自体で戻るために、ばねを装備することができる。
【０１４９】
アクチュエータ３４０８の作用は、アクチュエータ７０６と図１２、１３Ａ〜１３Ｂ、１４Ａ〜１４Ｂに関して記述した１つまたは複数のランプ、ウエッジ、またはリフタ１３０８の作用と同様である。
【０１５０】
図３９Ａ〜３９Ｉは、ベイル・ラッチ３４０４と、ならびに押しタブ３４１０を有するベイル・ラッチ３４０４と同様に機能することができる他のラッチ外し機構との代替実施形態の様々な図を示す。
【０１５１】
図３９Ａは、ベイル・ラッチ３４０４Ａ’を示す。この図では、ピボットピン３４０６は、ベイル・ラッチ３４０４Ａ’の幅を超えて延びない２つのより小さいピン３４０６Ａ’で置き換えられている。
【０１５２】
図３９Ｂは、完全なベイル・ラッチ・プル・アームの代わりにレバーに結合された部分プル・アーム３５０４Ｂ’を有するラッチ３４０４Ｂ’を示す。
【０１５３】
図３９Ｃは、一側面においてのみラッチ３４０４Ｃ’に結合された長いピボットピン３４０６Ｃ’を有する部分プル・アーム（図３９Ｂに示すような）を有するラッチ３４０４Ｃ’を示す。
【０１５４】
図３９Ｄは、角度のない閉鎖プル・アーム３５０４Ｄ’を有するベイル・ラッチ３４０４Ｄ’を示す。ラッチ３４０４Ｄ’は、作動タブ３４１０Ｄ’の他の実施形態をさらに含み、この場合、タブは、当接面３６０１上でスライドし、かつ光ファイバ・モジュールを解放するために、楕円または円の先端を有する。作動タブ３４１０Ｄ’は、第１作動タブ３４１０より狭い。
【０１５５】
図３９Ｅは、半円のプル・アーム３５０４Ｅ’を有するベイル・ラッチ３４０４Ｅ’を示す。
【０１５６】
図３９Ｆは、光ファイバ・モジュールをケージ・アセンブリから解放するために、レバー・アーム３５０４Ｆ’のみを有するラッチ３４０４Ｆ’を示す。
【０１５７】
図３９Ｇは、ラッチ３４０４Ｇ’を光ファイバ・モジュールに結合させるために、ピボットピンの代わりに、回転円錐維持装置３４０６Ｇ’を有するラッチ３４０４Ｇ’を示す。
【０１５８】
図３９Ｈは、ピンではなく穴を有するベイル・ラッチ３４０４Ｈ’を示す。光ファイバ・モジュールまたはノーズ・リセプタクルは、ラッチ３４０４Ｈ’を光ファイバ・モジュールに回転可能に結合するために、穴３９０２を通ってはめ込まれるピンまたは突出部を設ける。
【０１５９】
図３９Ｉは、図３９Ｆに示すものと同様のベイル・ラッチ３４０４Ｉ’を示すが、ユーザが、レバー・アーム３５０４Ｉ’を引いていないまたは回転させていないとき、光ファイバ・モジュールの面に対してラッチ・アーム３５０４Ｉ’を収縮させるために、随意選択ばねを有する。上記で留意したように、様々なタイプのばねがこの目的を果たすことが可能である。ばねは、使用していないとき、ラッチ・アーム３５０４Ｉ’を収縮さるために、ラッチの回転軸に沿って、または他の周知の構成において取り付けることが可能である。
【０１６０】
一実施態様によれば、ばねの一端は、ラッチに結合されている。ベイル・ラッチ・アーム３５０４Ｉ’が回転する際に、ばね３９１９を圧縮（または脱圧縮）する。ベイル・ラッチが解放されたとき、ばねは、脱圧縮（または圧縮）して、ベイル・ラッチを光ファイバ・モジュール面に対して接するようにする。
【０１６１】
他の実施形態では、ばねの一端は、光ファイバ・モジュールまたはノーズ・リセプタクルに結合され、それにより、ベイル・ラッチがその閉鎖位置から引かれたとき、または回転されたとき、ばねが、圧縮（または脱圧縮）する。ベイル・ラッチが解放されたとき、ばねは圧縮解除（または圧縮）されて、ベイル・ラッチを光ファイバ・モジュール面（その閉鎖位置）に対して押す。
【０１６２】
ここで図４０Ａ〜４０Ｉを参照すると、ベイル・ラッチのラッチ外し機構が、本発明の他の実施形態のベリーツーベリー取付け構成において機能する様子の様々な図が示されている。第１光ファイバ・モジュールと第２光ファイバ・モジュールが、ベリーツーベリー構成においてケージと係合することができ、この場合、第１ノーズ・リセプタクル３４０２Ａは、図４０Ａ〜４０Ｉに示すように、第２ノーズ・リセプタクル３４０２Ｂに隣接し、かつ平行になる。ベイル・ラッチのラッチ外し機構は、図４０Ａ〜４０Ｉに示すベリーツーベリー取付け構成を使用するとき、極度に接近したギャップ構成において機能するように設計することができる。すなわち、上部と底部ケージすなわちリセプタクルの距離は、１．０ミリメートル未満とすることができ、第１ノーズ・リセプタクル３４０２Ａのベイル・ラッチ３４０４Ａ、第２ノーズ・リセプタクル３４０２Ｂのベイル・ラッチ３４０４Ｂとにより、開放位置または閉鎖位置の中に適切に機能することが可能になる。
【０１６３】
図４０Ａ〜４０Ｉは、開放位置または係合位置にある第１ベイル・ラッチ３４０４Ａのみを示すが、第１ベイル・ラッチ３４０４Ａまたは第２ベイル・ラッチ３４０４Ｂを開放位置または係合解除位置とすることができる。代替として、上部ベイル・ラッチ３４０４Ａ、底部ベイル・ラッチ３４０４Ｂの両方とも、所望であれば、ある理由のために開放または係合解除とすることができる。光ファイバ・モジュールのこのベリーツーベリー構成は、上記の図１７Ａ〜１７Ｄに関してさらに記述されている。その記述は、本明細書で記述したノーズ・リセプタクル３４０２のベイル・ラッチのラッチ外し機構を使用する光ファイバ・モジュールに適用される。
【０１６４】
本発明は、従来の技術に対するいくつかの利点を有し、当業者なら、本開示を完全に読んだ後ではそれを理解するであろう。
【０１６５】
ある例示的な実施形態について記述し、添付の図面に示してきたが、そのような実施形態は、広範な本発明の単なる例示であり、それを限定するものではなく、当業者なら、様々な他の修正を思いつく可能性があるので、本発明は、示し、かつ記述した特定の構成と配置に限定されるものではないことを理解されたい。本発明について特定の実施形態において記述してきたが、本発明は、そのような実施形態によって限定されると解釈されるべきではない。
【図面の簡単な説明】
【０１６６】
【図１】光学要素を示す簡略的な上部分解図である。
【図２】光学要素と、受信器回路板と、送信器回路板との部分的な組立て図である。
【図３】印刷回路板ケージサブアセンブリと光学要素の分解図である。
【図４Ａ】ホット差込み可能光ファイバ・モジュールの実施形態の後部からの分解図である。
【図４Ｂ】ホット差込み可能性を提供する雄型電気コネクタの側面の拡大図である。
【図４Ｃ】ホット差込み可能性を提供する雄型電気コネクタの他の側面の拡大図である。
【図５】光ファイバ・モジュールの実施形態の前面からの分解図である。
【図６Ａ】組み立てた光ファイバ・モジュールの実施形態の上面図である。
【図６Ｂ】組み立てた光ファイバ・モジュールの実施形態の底面図である。
【図６Ｃ】組み立てた光ファイバ・モジュールの実施形態の右側面図である。
【図６Ｄ】組み立てた光ファイバ・モジュールの実施形態の左側面図である。
【図６Ｅ】組み立てた光ファイバ・モジュールの実施形態の前面図である。
【図６Ｆ】組み立てた光ファイバ・モジュールの実施形態の背面図である。
【図７Ａ】本発明の実施形態の分解した光ファイバ・モジュールの図である。
【図７Ｂ】本発明の実施形態の分解した光ファイバ・モジュールの図である。
【図７Ｃ】本発明の実施形態の分解した光ファイバ・モジュールの図である。
【図７Ｄ】本発明の実施形態の分解した光ファイバ・モジュールの図である。
【図７Ｅ】引出しタブの代替実施形態を示す本発明の他の実施形態の分解した光ファイバ・モジュールの透視図である。
【図７Ｆ】引出しタブの代替実施形態を示す本発明の他の実施形態の分解した光ファイバ・モジュールの透視図である。
【図７Ｇ】引出しタブの他の代替実施形態を示す本発明の他の実施形態の分解した光ファイバ・モジュールの透視図である。
【図７Ｈ】引出しタブの他の代替実施形態を示す本発明の他の実施形態の分解した光ファイバ・モジュールの透視図である。
【図８】光ファイバ・モジュールの引出しタブの実施形態の図である。
【図９】光ファイバ・モジュール用のキッカー・アクチュエータの実施形態の図である。
【図１０】ノーズ・リセプタクルに組み立てられた図８Ａ−８Ｇのプル・アクチュエータと、図９Ａ−９Ｉのキッカー・アクチュエータとを示す図７Ａ−７Ｄの光ファイバ・モジュールのサブアセンブリの図である。
【図１１】光ファイバ・モジュール用の例示的なケージ・アセンブリすなわちモジュール・リセプタクルを示す図である。
【図１２】図１１Ａ−１１Ｅの例示的なケージ・アセンブリすなわちモジュール・リセプタクルと係合した押しボタン解放可能光ファイバ・モジュールのシステムの底面図である。
【図１３】ラッチ状態または定常状態の押しボタン解放を有する図１２のシステムの断面図である。
【図１４】押しボタン解放が押し込まれて、光ファイバ・モジュールをケージ・アセンブリまたはリセプタクル・モジュールからラッチを外す、図１２のシステムの断面図である。
【図１５】光ファイバ・モジュールを解放する方法のフロー・チャート図である。
【図１６】光ファイバ・モジュールを挿入する方法のフロー・チャート図である。
【図１７Ａ】上部光ファイバ・モジュールが取り外されているベリーツーベリー取付け構成を有する光ファイバ・システムの透視図である。
【図１７Ｂ】図１７Ａのベリーツーベリー取付け構成を有する光ファイバ・システムの側面図である。
【図１７Ｃ】上部光ファイバ・モジュールが挿入されている、図１７Ａのベリーツーベリー取付け構成を有する光ファイバ・システムの側面図である。
【図１７Ｄ】上部光ファイバ・モジュールが挿入されている、図１７Ｃのベリーツーベリー取付け構成を有する光ファイバ・システムの断面図である。
【図１８Ａ】ベリーツーベリー取付け構成において、光ファイバ・モジュールの対のサブアセンブリを示す図である。
【図１８Ｂ】ベリーツーベリー取付け構成において、光ファイバ・モジュールの対のサブアセンブリを示す図である。
【図１８Ｃ】ベリーツーベリー取付け構成において、光ファイバ・モジュールの対のサブアセンブリを示す図である。
【図１８Ｄ】ベリーツーベリー取付け構成において、光ファイバ・モジュールの対のサブアセンブリを示す図である。
【図１９】本発明の他の実施形態の一体式押しボタン・アクチュエータを示す図である。
【図２０Ａ】図１９Ａ−１９Ｆの一体式押しボタン・アクチュエータを示す拡大図である。
【図２０Ｂ】図１９Ａ−１９Ｆの一体式押しボタン・アクチュエータを示す拡大図である。
【図２０Ｃ】図１９Ａ−１９Ｆの一体式押しボタン・アクチュエータを示す拡大図である。
【図２０Ｄ】図１９Ａ−１９Ｆの一体式押しボタン・アクチュエータを示す拡大図である。
【図２１】アクチュエータの代替押しボタンの実施形態を示す図である。
【図２２Ａ】本発明の他の実施形態のノーズ・リセプタクルとプル・アクチュエータとのサブアセンブリを示す図である。
【図２２Ｂ】本発明の他の実施形態のノーズ・リセプタクルとプル・アクチュエータとのサブアセンブリを示す図である。
【図２２Ｃ】本発明の他の実施形態のノーズ・リセプタクルとプル・アクチュエータとのサブアセンブリを示す図である。
【図２２Ｄ】本発明の他の実施形態のノーズ・リセプタクルとプル・アクチュエータとのサブアセンブリを示す図である。
【図２２Ｅ】本発明の他の実施形態のノーズ・リセプタクルとプル・アクチュエータとのサブアセンブリを示す図である。
【図２２Ｆ】本発明の他の実施形態のノーズ・リセプタクルとプル・アクチュエータとのサブアセンブリを示す図である。
【図２２Ｇ】本発明の他の実施形態のノーズ・リセプタクルとプル・アクチュエータとのサブアセンブリを示す図である。
【図２２Ｈ】本発明の他の実施形態のノーズ・リセプタクルとプル・アクチュエータとのサブアセンブリを示す図である。
【図２３】本発明の一実施形態のプル・アクチュエータと、ピボットアーム・アクチュエータと、ケージ・アセンブリラッチとを示す図である。
【図２４】本発明の一実施形態のプル・アクチュエータを示す図である。
【図２５】本発明の一実施形態のピボットアーム・アクチュエータを示す図である。
【図２６】本発明の一実施形態の係合位置における図２４Ａ−２４Ｉと２５Ａ−２５Ｉの一体式ノーズアセンブリとラッチ機構の断面図である。
【図２７】本発明の一実施形態の係合解除位置における図２４Ａ−２４Ｉと２５Ａ−２５Ｉの一体式ノーズアセンブリとラッチ機構の断面図である。
【図２８】本発明の他の実施形態のプル・アクチュエータを示す図である。
【図２９】本発明の他の実施形態のばねを含むピボットアーム・アクチュエータを示す図である。
【図３０】本発明の一実施形態の係合位置における図２８Ａ−２８Ｉと２９Ａ−２９Ｉの一体式ノーズアセンブリとラッチ機構の断面図である。
【図３１】本発明の一実施形態の、係合解除位置における図２８Ａ−２８Ｉと２９Ａ−２９Ｉの一体式ノーズアセンブリとラッチ機構の断面図である。
【図３２Ａ】プル・アクチュエータのプル機構の代替実施形態を示す図である。
【図３２Ｂ】プル・アクチュエータのプル機構の代替実施形態を示す図である。
【図３２Ｃ】プル・アクチュエータのプル機構の代替実施形態を示す図である。
【図３２Ｄ】プル・アクチュエータのプル機構の代替実施形態を示す図である。
【図３２Ｅ】プル・アクチュエータのプル機構の代替実施形態を示す図である。
【図３２Ｆ】プル・アクチュエータのプル機構の代替実施形態を示す図である。
【図３２Ｇ】プル・アクチュエータのプル機構の代替実施形態を示す図である。
【図３２Ｈ】プル・アクチュエータのプル機構の代替実施形態を示す図である。
【図３２Ｉ】プル・アクチュエータのプル機構の代替実施形態を示す図である。
【図３３】プル・アクチュエータを使用する本発明の他の実施形態のベリーツーベリー取付け構成を示す図である。
【図３４Ａ】本発明の他の実施形態の、ベイル・ラッチのラッチ外し機構を含むノーズ・リセプタクルのサブアセンブリを示す図である。
【図３４Ｂ】本発明の他の実施形態の、ベイル・ラッチのラッチ外し機構を含むノーズ・リセプタクルのサブアセンブリを示す図である。
【図３４Ｃ】本発明の他の実施形態の、ベイル・ラッチのラッチ外し機構を含むノーズ・リセプタクルのサブアセンブリを示す図である。
【図３４Ｄ】本発明の他の実施形態の、ベイル・ラッチのラッチ外し機構を含むノーズ・リセプタクルのサブアセンブリを示す図である。
【図３４Ｅ】本発明の他の実施形態の、ベイル・ラッチのラッチ外し機構を含むノーズ・リセプタクルのサブアセンブリを示す図である。
【図３４Ｆ】本発明の他の実施形態の、ベイル・ラッチのラッチ外し機構を含むノーズ・リセプタクルのサブアセンブリを示す図である。
【図３４Ｇ】本発明の他の実施形態の、ベイル・ラッチのラッチ外し機構を含むノーズ・リセプタクルのサブアセンブリを示す図である。
【図３４Ｈ】本発明の他の実施形態の、ベイル・ラッチのラッチ外し機構を含むノーズ・リセプタクルのサブアセンブリを示す図である。
【図３４Ｉ】本発明の他の実施形態の、ベイル・ラッチのラッチ外し機構を含むノーズ・リセプタクルのサブアセンブリを示す図である。
【図３５Ａ】本発明の一実施形態のピボットピンを含むベイル・ラッチを示す図である。
【図３５Ｂ】本発明の一実施形態のピボットピンを含むベイル・ラッチを示す図である。
【図３５Ｃ】本発明の一実施形態のピボットピンを含むベイル・ラッチを示す図である。
【図３５Ｄ】本発明の一実施形態のピボットピンを含むベイル・ラッチを示す図である。
【図３５Ｅ】本発明の一実施形態のピボットピンを含むベイル・ラッチを示す図である。
【図３５Ｆ】本発明の一実施形態のピボットピンを含むベイル・ラッチを示す図である。
【図３５Ｇ】本発明の一実施形態のピボットピンを含むベイル・ラッチを示す図である。
【図３５Ｈ】本発明の一実施形態のピボットピンを含むベイル・ラッチを示す図である。
【図３５Ｉ】本発明の一実施形態のピボットピンを含むベイル・ラッチを示す図である。
【図３６Ａ】本発明の一実施形態のアクチュエータを示す図である。
【図３６Ｂ】本発明の一実施形態のアクチュエータを示す図である。
【図３６Ｃ】本発明の一実施形態のアクチュエータを示す図である。
【図３６Ｄ】本発明の一実施形態のアクチュエータを示す図である。
【図３６Ｅ】本発明の一実施形態のアクチュエータを示す図である。
【図３６Ｆ】本発明の一実施形態のアクチュエータを示す図である。
【図３６Ｇ】本発明の一実施形態のアクチュエータを示す図である。
【図３６Ｈ】本発明の一実施形態のアクチュエータを示す図である。
【図３６Ｉ】本発明の一実施形態のアクチュエータを示す図である。
【図３７Ａ】本発明の一実施形態の、係合位置における図３４Ａ−３４Ｉの一体式ノーズアセンブリとラッチ機構の断面図である。
【図３７Ｂ】本発明の一実施形態の、係合位置における図３４Ａ−３４Ｉの一体式ノーズアセンブリとラッチ機構の断面図である。
【図３７Ｃ】本発明の一実施形態の、係合位置における図３４Ａ−３４Ｉの一体式ノーズアセンブリとラッチ機構の断面図である。
【図３７Ｄ】本発明の一実施形態の、係合位置における図３４Ａ−３４Ｉの一体式ノーズアセンブリとラッチ機構の断面図である。
【図３７Ｅ】本発明の一実施形態の、係合位置における図３４Ａ−３４Ｉの一体式ノーズアセンブリとラッチ機構の断面図である。
【図３８Ａ】本発明の一実施形態の、係合解除位置における図３４Ａ−３４Ｉの一体式ノーズアセンブリとラッチ機構の断面図である。
【図３８Ｂ】本発明の一実施形態の、係合解除位置における図３４Ａ−３４Ｉの一体式ノーズアセンブリとラッチ機構の断面図である。
【図３８Ｃ】本発明の一実施形態の、係合解除位置における図３４Ａ−３４Ｉの一体式ノーズアセンブリとラッチ機構の断面図である。
【図３８Ｄ】本発明の一実施形態の、係合解除位置における図３４Ａ−３４Ｉの一体式ノーズアセンブリとラッチ機構の断面図である。
【図３８Ｅ】本発明の一実施形態の、係合解除位置における図３４Ａ−３４Ｉの一体式ノーズアセンブリとラッチ機構の断面図である。
【図３９Ａ】ベイル・ラッチの代替実施形態を示す図である。
【図３９Ｂ】ベイル・ラッチの代替実施形態を示す図である。
【図３９Ｃ】ベイル・ラッチの代替実施形態を示す図である。
【図３９Ｄ】ベイル・ラッチの代替実施形態を示す図である。
【図３９Ｅ】ベイル・ラッチの代替実施形態を示す図である。
【図３９Ｆ】ベイル・ラッチの代替実施形態を示す図である。
【図３９Ｇ】ベイル・ラッチの代替実施形態を示す図である。
【図３９Ｈ】ベイル・ラッチの代替実施形態を示す図である。
【図３９Ｉ】ベイル・ラッチの代替実施形態を示す図である。
【図４０Ａ】本発明の他の実施形態のベリーツーベリー取付け構成において、ベイル・ラッチのラッチ外し機構が機能する方式を示す図である。
【図４０Ｂ】本発明の他の実施形態のベリーツーベリー取付け構成において、ベイル・ラッチのラッチ外し機構が機能する方式を示す図である。
【図４０Ｃ】本発明の他の実施形態のベリーツーベリー取付け構成において、ベイル・ラッチのラッチ外し機構が機能する方式を示す図である。
【図４０Ｄ】本発明の他の実施形態のベリーツーベリー取付け構成において、ベイル・ラッチのラッチ外し機構が機能する方式を示す図である。
【図４０Ｅ】本発明の他の実施形態のベリーツーベリー取付け構成において、ベイル・ラッチのラッチ外し機構が機能する方式を示す図である。
【図４０Ｆ】本発明の他の実施形態のベリーツーベリー取付け構成において、ベイル・ラッチのラッチ外し機構が機能する方式を示す図である。
【図４０Ｇ】本発明の他の実施形態のベリーツーベリー取付け構成において、ベイル・ラッチのラッチ外し機構が機能する方式を示す図である。
【図４０Ｈ】本発明の他の実施形態のベリーツーベリー取付け構成において、ベイル・ラッチのラッチ外し機構が機能する方式を示す図である。
【図４０Ｉ】本発明の他の実施形態のベリーツーベリー取付け構成において、ベイル・ラッチのラッチ外し機構が機能する方式を示す図である。
【符号の説明】
【０１６７】
７００：光ファイバ・モジュール、７０５：レバー・アクチュエータ、２２０２：プル・アクチュエータ、２２０４：ピボットアーム・アクチュエータ
【図１】
2008102543.tif 000003
【図２】
2008102543.tif 000004
【図３】
2008102543.tif 000005
【図４Ａ】
2008102543.tif 000006
【図４Ｂ】
2008102543.tif 000007
【図４Ｃ】
2008102543.tif 000008
【図５】
2008102543.tif 000009
【図６Ａ】
2008102543.tif 000010
【図６Ｂ】
2008102543.tif 000011
【図６Ｃ】
2008102543.tif 000012
【図６Ｄ】
2008102543.tif 000013
【図６Ｅ】
2008102543.tif 000014
【図６Ｆ】
2008102543.tif 000015
【図７Ａ】
2008102543.tif 000016
【図７Ｂ】
2008102543.tif 000017
【図７Ｃ】
2008102543.tif 000018
【図７Ｄ】
2008102543.tif 000019
【図７Ｅ】
2008102543.tif 000020
【図７Ｆ】
2008102543.tif 000021
【図７Ｇ】
2008102543.tif 000022
【図７Ｈ】
2008102543.tif 000023
【図８】
2008102543.tif 000024
【図９】
2008102543.tif 000025
【図１０】
2008102543.tif 000026
【図１１】
2008102543.tif 000027
【図１２】
2008102543.tif 000028
【図１３】
2008102543.tif 000029
【図１４】
2008102543.tif 000030
【図１５】
2008102543.tif 000031
【図１６】
2008102543.tif 000032
【図１７Ａ】
2008102543.tif 000033
【図１７Ｂ】
2008102543.tif 000034
【図１７Ｃ】
2008102543.tif 000035
【図１７Ｄ】
2008102543.tif 000036
【図１８Ａ】
2008102543.tif 000037
【図１８Ｂ】
2008102543.tif 000038
【図１８Ｃ】
2008102543.tif 000039
【図１８Ｄ】
2008102543.tif 000040
【図１９】
2008102543.tif 000041
【図２０Ａ】
2008102543.tif 000042
【図２０Ｂ】
2008102543.tif 000043
【図２０Ｃ】
2008102543.tif 000044
【図２０Ｄ】
2008102543.tif 000045
【図２１】
2008102543.tif 000046
【図２２Ａ】
2008102543.tif 000047
【図２２Ｂ】
2008102543.tif 000048
【図２２Ｃ】
2008102543.tif 000049
【図２２Ｄ】
2008102543.tif 000050
【図２２Ｅ】
2008102543.tif 000051
【図２２Ｆ】
2008102543.tif 000052
【図２２Ｇ】
2008102543.tif 000053
【図２２Ｈ】
2008102543.tif 000054
【図２３】
2008102543.tif 000055
【図２４】
2008102543.tif 000056
【図２５】
2008102543.tif 000057
【図２６】
2008102543.tif 000058
【図２７】
2008102543.tif 000059
【図２８】
2008102543.tif 000060
【図２９】
2008102543.tif 000061
【図３０】
2008102543.tif 000062
【図３１】
2008102543.tif 000063
【図３２Ａ】
2008102543.tif 000064
【図３２Ｂ】
2008102543.tif 000065
【図３２Ｃ】
2008102543.tif 000066
【図３２Ｄ】
2008102543.tif 000067
【図３２Ｅ】
2008102543.tif 000068
【図３２Ｆ】
2008102543.tif 000069
【図３２Ｇ】
2008102543.tif 000070
【図３２Ｈ】
2008102543.tif 000071
【図３２Ｉ】
2008102543.tif 000072
【図３３】
2008102543.tif 000073
【図３４Ａ】
2008102543.tif 000074
【図３４Ｂ】
2008102543.tif 000075
【図３４Ｃ】
2008102543.tif 000076
【図３４Ｄ】
2008102543.tif 000077
【図３４Ｅ】
2008102543.tif 000078
【図３４Ｆ】
2008102543.tif 000079
【図３４Ｇ】
2008102543.tif 000080
【図３４Ｈ】
2008102543.tif 000081
【図３４Ｉ】
2008102543.tif 000082
【図３５Ａ】
2008102543.tif 000083
【図３５Ｂ】
2008102543.tif 000084
【図３５Ｃ】
2008102543.tif 000085
【図３５Ｄ】
2008102543.tif 000086
【図３５Ｅ】
2008102543.tif 000087
【図３５Ｆ】
2008102543.tif 000088
【図３５Ｇ】
2008102543.tif 000089
【図３５Ｈ】
2008102543.tif 000090
【図３５Ｉ】
2008102543.tif 000091
【図３６Ａ】
2008102543.tif 000092
【図３６Ｂ】
2008102543.tif 000093
【図３６Ｃ】
2008102543.tif 000094
【図３６Ｄ】
2008102543.tif 000095
【図３６Ｅ】
2008102543.tif 000096
【図３６Ｆ】
2008102543.tif 000097
【図３６Ｇ】
2008102543.tif 000098
【図３６Ｈ】
2008102543.tif 000099
【図３６Ｉ】
2008102543.tif 000100
【図３７Ａ】
2008102543.tif 000101
【図３７Ｂ】
2008102543.tif 000102
【図３７Ｃ】
2008102543.tif 000103
【図３７Ｄ】
2008102543.tif 000104
【図３７Ｅ】
2008102543.tif 000105
【図３８Ａ】
2008102543.tif 000106
【図３８Ｂ】
2008102543.tif 000107
【図３８Ｃ】
2008102543.tif 000108
【図３８Ｄ】
2008102543.tif 000109
【図３８Ｅ】
2008102543.tif 000110
【図３９Ａ】
2008102543.tif 000111
【図３９Ｂ】
2008102543.tif 000112
【図３９Ｃ】
2008102543.tif 000113
【図３９Ｄ】
2008102543.tif 000114
【図３９Ｅ】
2008102543.tif 000115
【図３９Ｆ】
2008102543.tif 000116
【図３９Ｇ】
2008102543.tif 000117
【図３９Ｈ】
2008102543.tif 000118
【図３９Ｉ】
2008102543.tif 000119
【図４０Ａ】
2008102543.tif 000120
【図４０Ｂ】
2008102543.tif 000121
【図４０Ｃ】
2008102543.tif 000122
【図４０Ｄ】
2008102543.tif 000123
【図４０Ｅ】
2008102543.tif 000124
【図４０Ｆ】
2008102543.tif 000125
【図４０Ｇ】
2008102543.tif 000126
【図４０Ｈ】
2008102543.tif 000127
【図４０Ｉ】
2008102543.tif 000128